(57)【要約】【課題】浄化力を向上することができる移送研磨装置を提供する。【解決手段】ペレットＱを用いて遊技媒体Ｐを研磨しつつ移送する移送研磨装置７００において、清浄化するための浄化液をペレットＱの表面に付着させる浄化液付着手段７０６と、浄化液付着手段により浄化液を付着させたペレットＱと遊技媒体Ｐとを移送しながら撹拌する移送撹拌手段７０３と、移送撹拌手段７０３により移送されたペレットＱと遊技媒体Ｐとを分離する分離手段７１２と、を備える。【選択図】図２
2015089459.tif 000002
【特許請求の範囲】
【請求項１】
ペレットを用いて遊技媒体を研磨しつつ移送する移送研磨装置において、
清浄化するための浄化液を前記ペレットの表面に付着させる浄化液付着手段と、
前記浄化液付着手段により前記浄化液を付着させた前記ペレットと前記遊技媒体とを移送しながら撹拌する移送撹拌手段と、
前記移送撹拌手段により移送された前記ペレットと前記遊技媒体とを分離する分離手段と、
を備える
ことを特徴とする移送研磨装置。
【発明の詳細な説明】
【技術分野】
【０００１】
本発明は、ペレット樹脂を用いて遊技媒体を研磨する移送研磨装置に関する。
【背景技術】
【０００２】
従来、遊技媒体を研磨する研磨装置として、パチンコ玉（遊技媒体）を洗浄水により洗浄してから研磨布を有する揚送研磨装置に投入するものがあり、このような研磨装置では、洗浄水により濡れたパチンコ玉と研磨布とを乾燥手段により乾燥させるようにしている（例えば、特許文献１参照）。
【０００３】
また、樹脂製のペレットを用いて遊技媒体を研磨する研磨装置があり、このような研磨装置では、汚れたペレットを研磨装置から取り出して、専用の洗浄装置を用いて洗浄するようにしている（例えば、特許文献２参照）。
【先行技術文献】
【特許文献】
【０００４】
【特許文献１】特開２００４−１９４７６９号公報
【特許文献２】特開平１０−７１３７４号公報
【発明の概要】
【発明が解決しようとする課題】
【０００５】
しかしながら、特許文献１にあっては、研磨布により研磨される前のパチンコ玉に対して洗浄水を吹き付ける方法では、パチンコ玉にこびりついた汚れを充分に除去することができないという問題がある。
【０００６】
また、特許文献２にあっては、汚れたペレットを研磨装置から取り出して洗浄装置に投入する作業が面倒であるばかりか、洗浄装置に用いられる洗浄液は、遊技媒体の洗浄に関与しておらず、洗浄力を向上することができないという問題がある。
【０００７】
本発明は、このような問題点に着目してなされたもので、浄化力を向上することができる移送研磨装置を提供することを目的とする。
【課題を解決するための手段】
【０００８】
前記課題を解決するために、本発明の請求項１に記載の移送研磨装置は、
ペレット（例えば、ペレットＱ）を用いて遊技媒体（例えば、遊技球Ｐ）を研磨しつつ移送する移送研磨装置（例えば、揚送研磨装置７００）において、
清浄化するための浄化液を前記ペレットの表面に付着させる浄化液付着手段（例えば、噴霧装置７０６）と、
前記浄化液付着手段により前記浄化液を付着させた前記ペレットと前記遊技媒体とを移送しながら撹拌する移送撹拌手段（例えば、搬送スクリュー７０３）と、
前記移送撹拌手段により移送された前記ペレットと前記遊技媒体とを分離する分離手段（例えば、篩部７１３）と、
を備える
ことを特徴としている。
この特徴によれば、移送撹拌手段により撹拌しながらペレットと遊技媒体とが移送されるため、浄化液が付着したペレットにより遊技媒体が移送中に研磨されながら浄化されるので、浄化力を向上させることができる。
【０００９】
本発明の手段１の移送研磨装置は、請求項１に記載の移送研磨装置であって、
前記分離手段（例えば、篩部７１３）により前記ペレット（例えば、ペレットＱ）と分離した前記遊技媒体（例えば、遊技球Ｐ）を乾燥させる乾燥手段（例えば、ヒーター７１４）を備え、
前記乾燥手段により前記遊技媒体に付着した前記浄化液を蒸発させる
ことを特徴としている。
この特徴によれば、遊技媒体を乾かすことができ、遊技媒体に生じる錆や、遊技媒体の流れ不良を防止することができる。
【００１０】
本発明の手段２の移送研磨装置は、請求項１または手段１に記載の移送研磨装置であって、
前記移送撹拌手段（例えば、搬送スクリュー７０３）への前記遊技媒体（例えば、遊技球Ｐ）の流入を許容する許容状態と許容しない非許容状態とに変化可能な可動手段（例えば、シャッタ装置２００Ｌ，２００Ｒ）と、
前記移送撹拌手段の動作を停止させる制御を行う制御手段（例えば、揚送研磨制御用コントローラ２２０）と、
を備え、
前記制御手段は、
前記移送撹拌手段の動作を停止（例えば、揚送研磨制御用コントローラ２２０が図１７に示す揚送研磨処理のＳ１３３で揚送研磨モータ７０４の駆動を停止する部分）させる前に、前記可動手段により前記非許容状態として前記移送撹拌手段を所定時間動作させて、該移送撹拌手段内に前記遊技媒体が残らないように該遊技媒体を排出する排出制御の実行が可能となっている（例えば、揚送研磨制御用コントローラ２２０が図１７に示す揚送研磨処理のＳ１２３，Ｓ１２６，Ｓ１２７で３０秒間揚送研磨モータ７０４を駆動させる部分）
ことを特徴としている。
この特徴によれば、移送撹拌手段の動作を停止させるときに移送撹拌手段内に遊技媒体が残らないので、移送撹拌手段内で遊技媒体に錆が発生することを防止することができる。
【００１１】
本発明の手段３の移送研磨装置は、手段２に記載の移送研磨装置であって、
前記制御手段（例えば、揚送研磨制御用コントローラ２２０）は、
特定期間外（例えば、遊技場の営業期間外）に前記移送撹拌手段（例えば、搬送スクリュー７０３）の動作を停止させるときに前記排出制御を実行し、特定期間内（例えば、遊技場の営業期間内）に前記移送撹拌手段の動作を停止させるときに前記排出制御を実行しない（例えば、揚送研磨制御用コントローラ２２０が図１７に示す揚送研磨処理のＳ１２２＋で現在時刻が営業期間外の時間帯であるか否かを判定し、営業期間以外である場合には、研磨停止待ちタイマ値に研磨停止待ち時間である３０秒に相当する値をセットし、営業期間外でない場合には、直ちに揚送研磨モータ７０４の駆動を停止する部分）
ことを特徴としている。
この特徴によれば、例えば、遊技場の営業期間などの特定期間内に移送撹拌手段を停止させるときには、移送撹拌手段内に遊技媒体が残留する時間が短く、移送撹拌手段内で遊技媒体に錆が生じる可能性が低いので、遊技媒体の排出制御を行わないようにして、遊技島の電力消費を抑えることができる。
【００１２】
本発明の手段４の遊技島は、
請求項１、手段１〜手段３のいずれかに記載の移送研磨装置（例えば、揚送研磨装置７００）と、該移送研磨装置で研磨された前記遊技媒体（例えば、遊技球Ｐ）が供給される遊技機（例えば、パチンコ遊技機２Ａ）と、が設置される遊技島（例えば、遊技島１）であって、
前記遊技機から排出される遊技媒体を回収する回収通路（例えば、回収通路１０５）と、
前記移送研磨装置にて研磨される前記遊技媒体が前記回収通路に所定量よりも滞留しているか否かを判定する判定手段（例えば、揚送清浄制御用コントローラ２２０が、図１７に示す揚送研磨処理におけるステップＳ１０３において近接センサ２１０Ｌ，２１０Ｒ；ｏｎになったか否かを判定する部分）と、
前記判定手段が前記所定量よりも滞留していると判定したときから所定時間が経過したことに基づいて、前記移送研磨装置の動作を開始させるとともに、前記判定手段が前記所定量よりも滞留していないと判定したことに基づいて、該移送研磨装置の動作を停止させる間欠運転制御を行う間欠運転制御手段（例えば、揚送清浄制御用コントローラ２２０が、図１７に示す揚送研磨処理におけるステップＳ１０３において近接センサ２１０Ｌ，２１０Ｒ；ｏｎになったと判定した後、ステップＳ１０９において清浄開始待ちタイマのタイマ値が０になったと判定したときに可動板２０１Ｌ，２０１Ｒを開放位置に移動して揚送研磨モータを駆動させる。また、ステップＳ１２１において近接センサ２１０Ｌ，２１０Ｒ；ｏｆｆになったと判定した後、ステップＳ１２７において清浄停止待ちタイマのタイマ値が０になったと判定したときに可動板２０１Ｌ，２０１Ｒを閉鎖位置に移動して揚送清浄モータを停止させる部分）と、
前記移送研磨装置に電力を供給するためのインバータ（例えば、インバータ２４０）と、
前記インバータを囲う金属製のケース（例えば、金属ボックス２４１）と、
ことを特徴としている。
この特徴によれば、遊技機の稼働状況に応じて間欠運転制御を行うので、遊技島の電力消費を抑えられ、かつインバータを囲う金属製のケースを備えることで、インバータを使用することにより発生するノイズにより周辺機器に影響を与えることを回避できる。
【００１３】
本発明の手段５の遊技島は、
請求項１、手段１〜手段３のいずれかに記載の移送研磨装置と、該移送研磨装置で研磨された前記遊技媒体が供給される遊技機と、が設置される遊技島であって、
第１遊技機（例えば、スロットマシン３）と該第１遊技機よりも高い位置に設置される第２遊技機（例えば、パチンコ遊技機２Ａ）とが前記移送研磨装置（例えば、揚送研磨装置７００）が設置される中央位置を介して左右方向に並設され、前記移送撹拌手段の少なくとも一部（例えば、図１９に示す揚送管７０２の水平部７０２ａや揚送研磨モータ７０４や合流部７０５や浄化液噴霧部７０８や吸引装置（図示略）など）が前記第２遊技機側に配置されている
ことを特徴としている。
この特徴によれば、第１遊技機よりも高い位置に設置される第２遊技機側には、移送撹拌手段を配置できる配置スペースを確保することができるので、移送撹拌手段が第１遊技機の設置の邪魔にならずに済むようになる。
【００１４】
本発明の手段６の遊技島は、
請求項１、手段１〜手段３のいずれかに記載の移送研磨装置（例えば、揚送研磨装置７００）と、該移送研磨装置で研磨された前記遊技媒体（例えば、遊技球Ｐ）が供給される遊技機（例えば、封入式パチンコ遊技機２、通常のパチンコ遊技機２Ａ、スロットマシン３など）と、が設置される遊技島（例えば、遊技島１）であって、
前記遊技機が設置される設置部（例えば、下部ユニット６０）が複数設けられた躯体（例えば、躯体５）を有し、
前記遊技機から払い出された前記遊技媒体を受け入れる箱体（例えば、球箱２０）を載置するための載置板（例えば、膳板１３）が設けられる第１態様（例えば、図１５中の設置空間部ＳＦ，ＳＢの態様）と、前記載置板が設けられない第２態様（例えば、図１４中の設置空間部ＳＦ，ＳＢの態様）と、のいずれかに変更可能であり、
吸殻を回収する吸殻回収装置（例えば、吸殻回収装置６００）を備え、
前記吸殻回収装置は、
前記遊技機に対応して設けられ、吸殻を受け入れる吸殻受入部（例えば、吸殻受入部６０３）と、
前記吸殻受入部から受け入れた吸殻を回収部まで搬送する搬送手段（例えば、搬送スクリュー６０１）と、を有し、
前記搬送手段は、前記躯体に支持されている（例えば、図１８に示す搬送スクリュー６０１が内蔵された搬送管６０４は躯体５の一部である連結ビーム７１に取り付けられている部分）
ことを特徴としている。
この特徴によれば、吸殻回収装置の搬送手段が載置板ではなく躯体に支持されることで、遊技島が遊技機の種類に応じて載置板が設けられない第２態様に変更された場合でも搬送手段を支持することができるため、遊技島の設計の自由度が向上する。
【００１５】
本発明の手段７の遊技島は、
請求項１、手段１〜手段３のいずれかに記載の移送研磨装置（例えば、揚送研磨装置７００）と、該移送研磨装置で研磨された前記遊技媒体（例えば、遊技球Ｐ）が供給される遊技機（例えば、封入式パチンコ遊技機２、通常のパチンコ遊技機２Ａ、スロットマシン３など）と、が設置される遊技島（例えば、遊技島１）であって、
所定の間隔を隔てて立設される複数の支持体（例えば、支持体６６Ｌ，６６Ｒ）と、該複数の支持体間における該支持体の下端より上方の上方位置に架設される長板状の設置板（例えば、設置板１３ａ）と、前記設置板の下方に該設置板の長手方向に沿って配設される腰板（例えば、腰板１２Ｆ，１２Ｂ）とを備え、該設置板の長手方向に沿って遊技機が設置されており、
前記設置板は、前記遊技機にて遊技を行う遊技者側から見て前記腰板の奥側に配設される該遊技機に関連する関連設備（例えば、回収通路１０５やメダル回収通路など）が不要な第３遊技機（例えば、封入式パチンコ遊技機２、スロットマシン３）と、前記関連設備が必要な第４遊技機（例えば、通常のパチンコ遊技機２Ａ）と、を含む複数種類の遊技機を設置可能であり、
前記第３遊技機に対応可能な態様であって前記腰板により前記設置板の下方における前記複数の支持体間の少なくとも下部に遊技者側空間（例えば、遊技者側空間４００）が形成される第３態様（例えば、図１３の態様）と、前記第４遊技機に対応可能な態様であって前記設置板の下方における前記複数の支持体間に前記遊技者側空間が形成されない第４態様（例えば、図１４及び図１５の態様）と、のいずれかに変更可能である
ことを特徴としている。
この特徴によれば、遊技島を第３態様とすることで、遊技者の脚が複数の支持体間に形成された遊技者側空間を介して設置板より奥側に挿入可能となり、遊技島を第４態様とすることで、遊技者の脚が設置板より奥側に入り込むことが防止されるため、遊技機に関連する関連設備が必要な遊技機が設置されたときと関連設備が不要な遊技機が設置されたときとで、設置板の下方の態様を設置された遊技機に適した態様に変更することができる。
【図面の簡単な説明】
【００１６】
【図１】本発明の実施例としての遊技島の内部構造を示す断面図である。
【図２】揚送研磨装置を示す正面図である。
【図３】揚送研磨装置上部の内部構造を示す断面図である。
【図４】揚送研磨装置下部の内部構造を示す断面図である。
【図５】遊技島を示す正面図である。
【図６】図５のＡ−Ａ断面図である。
【図７】遊技島の内部構造を示す斜視図である。
【図８】遊技島の躯体構造を示す斜視図である。
【図９】腰板及び底板の構造を示す斜視図である。
【図１０】図６のＢ−Ｂ断面図である。
【図１１】腰板及び底板の動きを示す図１０における遊技島のＣ−Ｃ断面図である。
【図１２】腰板、底板及び回収通路の動きを示す図６における一部拡大断面図である。
【図１３】封入式パチンコ遊技機が設置された状態を示す遊技島の断面図である。
【図１４】スロットマシンが設置された状態を示す遊技島の断面図である。
【図１５】通常のパチンコ遊技機が設置された状態を示す遊技島の断面図である。
【図１６】（Ａ）は揚送研磨装置の回路構成の一例を示す説明図、（Ｂ）は揚送研磨動作、（Ｃ）は研磨開始待ち時間の設定状況を示す説明図である。
【図１７】揚送研磨制御用コントローラが実行する揚送研磨処理の制御内容を示すフローチャートである。
【図１８】変形例における吸殻回収装置が設けられた遊技島を示す断面図である。
【図１９】変形例における遊技島を示す正面図である。
【発明を実施するための形態】
【００１７】
本発明に係る移送研磨装置を実施するための形態を実施例に基づいて以下に説明する。
【実施例】
【００１８】
本発明が適用された遊技島について、図面に基づいて説明する。図１は、本発明が適用された遊技島の内部構造を示す断面図である。図１は、本発明が適用された遊技島の内部構造を示す断面図である。図２は、揚送研磨装置を示す正面図である。図３は、揚送研磨装置上部の内部構造を示す断面図である。図４は、揚送研磨装置下部の内部構造を示す断面図である。尚、以下の説明において、説明の便宜上、図１の手前側を遊技島の前側、奥側を後側、左右方向を左右側として説明する。また、本実施例におけるフローチャートの各ステップの説明において、例えば「ステップＳ１」と記載する箇所を「Ｓ１」と略記する場合がある。
【００１９】
図１に示されるように、遊技島１は、左右方向に向けて細長に形成されており、その前後面には、遊技機の一例であるパチンコ遊技機２Ａ及び該パチンコ遊技機２Ａにおいて遊技に使用する遊技球としての遊技球（パチンコ玉）の貸出を実施させるカードユニット６（図５参照）が、長手方向（左右方向）に向けて複数列設されている。
【００２０】
遊技島１の略中央上部には、遊技球が貯留される上部タンク７１１が設けられており、この上部タンク７１１内に貯留された遊技球は、遊技島１内の長手方向両端部に向かってそれぞれ下方に傾斜するように配設された左右の供給樋４に流入するようになっている。これら左右の供給樋４には、流下する遊技球を各パチンコ遊技機２Ａに供給するための支流樋５Ａが、供給樋４の前後（球の流下方向に向かって左右）の側板に、流下方向に向かって所定間隔おきに複数配設されており、これら支流樋５Ａに供給された遊技球は、各パチンコ遊技機２Ａの背面に設けられた球タンク６Ａに供給されるようになっている。
【００２１】
左右の供給樋４それぞれの下流側端部には、例えばメンテナンス時等において供給樋４内の遊技球を後述する回収通路１０５内にそれぞれ流出させる球抜き管７Ａが設けられている。尚、通常時にはこの球抜き管７Ａ内を遊技球が流下しないようになっている。
【００２２】
遊技島１の内部には、パチンコ遊技機２Ａより排出されたアウト球を受け入れて後述する回収通路１０５に排出するアウトタンク８が、パチンコ遊技機２Ａが載置される膳板１３の上面に、各パチンコ遊技機２Ａに対応するように複数設けられている。尚、各アウトタンク８からは排出ノズル８ａが下方に向けて延設されており、受け入れた球をこの排出ノズル８ａを介して排出するようになっている。
【００２３】
また、上部タンク７１１からは、該上部タンク７１１内部に貯留される遊技球の貯留量が所定量以上となってオーバーフローした遊技球を、後述する回収通路１０５それぞれに導くオーバーフロー樋１２が左右に向けて延設されているとともに、これら左右のオーバーフロー樋１２の下流側端部からは、オーバーフロー管１８が垂下されている。
【００２４】
左右の回収通路１０５は遊技球流路を構成しており、図１〜図３に示されるように、当該遊技島１の内部前後左右側にそれぞれ配置される木製の壁部１０５ａ，１０５ａ及び底板１０５ｅにより、上面が開口する横長箱状にそれぞれ形成されており、遊技島１の長手方向の略中央位置に配置される揚送研磨装置７００を挟んでその左右側、つまり遊技島１の左右両側（長手方向の両側）の下部にそれぞれ配置される。
【００２５】
回収通路１０５それぞれにおける前後の壁部１０５ａ，１０５ａ及び底板１０５ｅは、遊技島１の左右方向に向けて横長に形成されている。底板１０５ｅは、その上面が遊技島１の長手方向の端部側から中央の揚送研磨装置７００側に向けて下方に傾斜するように配設されており、遊技球が流下（移動）する遊技球流路を構成している。また、この底板１０５ｅの上面には、該底板１０５ｅの上面を幅方向にわたり保護するための流路保護部材５０が、底板１０５ｅの長手方向に向けて敷設されている。
【００２６】
また、遊技島１の左側端部には、遊技者が獲得した遊技球を計数するための計数装置１５が配設されており、この計数装置１５内に投入された遊技球は、該計数装置１５に設けられている球投入口１５ａから連設された返却路１６を介して、回収通路１０５内に配設された誘導樋１９に流入し、該誘導樋１９により揚送研磨装置７００側まで誘導された後、回収通路１０５内に落下するようになっている。つまり、計数装置１５にて計数された計数済み球は、遊技島１の内部左側に配設された回収通路１０５に返却されるようになっている
【００２７】
また、誘導樋１９の下流側端部は、図２に示されるように回収通路１０５内部における揚送研磨装置７００側に立設された区画板２１まで延設されており、該誘導樋１９上を流下してくる計数球は、回収通路１０５内部における区画板２１よりも上流側に落下されるようになっている。
【００２８】
回収通路１０５内部における区画板２１よりも上流側に落下した球は、区画板２１の下部に形成された連通口２１ａ（図２参照）を通過して区画板２１よりも下流側に形成される下流部２２内に流入した後、後述する接続樋１０Ｌを介して揚送研磨装置７００に供給される。
【００２９】
誘導樋１９の前後幅方向の両側方には、図２に示されるように、遊技島１の前後面にそれぞれ配設された各アウトタンク８から排出される遊技球を回収する回収樋１７，１７が並設されている。回収樋１７，１７は、硬質の塩化ビニル樹脂により樋状に形成されており、回収通路１０５の内部における誘導樋１９よりも若干上方位置に、計数装置１５側から揚送研磨装置７００側に向けて下方に傾斜するように配設されており、その下流側端部は区画板２１の上方を越えて揚送研磨装置７００まで延設されている。
【００３０】
すなわち、回収通路１０５は、中央の揚送研磨装置７００から左右端部側に向けてそれぞれ並設される各パチンコ遊技機２Ａからアウトタンク８を介して排出される遊技球を長手方向にわたり受け入れることができるように構成されており、左側の回収通路１０５は、計数装置１５にて計数された計数済み球を長手方向にわたり受け入れることができるように構成されている。
【００３１】
左右の回収通路１０５における揚送研磨装置７００側に配置される側板１０５ｆの下部には、揚送研磨装置７００の本体下部に形成された遊技球の合流部７０５（図２参照）に連通する連通口１０ａが形成されている。回収通路１０５内の遊技球は、連通口１０ａから流出した後、該連通口１０ａに接続される接続樋１０Ｌ，１０Ｒ（図２参照）をそれぞれ流下し、合流部７０５にて合流され、合流部７０５から揚送研磨装置７００の本体内部に流入する。そして、当該揚送研磨装置７００により上方に揚送されるとともに、揚送中において後述する樹脂製のペレットＱ（研磨部材とも言う）により研磨（清浄）されるようになっている。また、後述するように、揚送・研磨された揚送球は、上部タンク７１１内に排出されるようになっている。
【００３２】
これら遊技島１内に配設される供給樋４、支流樋５Ａ、オーバーフロー樋１２、回収樋１７，１７、オーバーフロー管１８、誘導樋１９、回収通路１０５、接続樋１０Ｌ，１０Ｒおよび揚送研磨装置７００により、遊技島１内における遊技球の循環経路が構成されており、これらのうち供給樋４、支流樋５Ａ、オーバーフロー樋１２、回収樋１７，１７、誘導樋１９、回収通路１０５、接続樋１０Ｌ，１０Ｒは、遊技球が移動（本実施例では自然流下）する遊技球流路を構成している。また、これらのうち回収樋１７，１７、誘導樋１９、回収通路１０５、接続樋１０Ｌ，１０Ｒは、パチンコ遊技機２Ａから排出された遊技球を回収して揚送研磨装置７００に誘導する回収通路を構成している。
【００３３】
また、接続樋１０Ｌ，１０Ｒにはシャッタ装置２００Ｌ，２００Ｒが設けられており、回収通路１０５から揚送研磨装置７００の合流部７０５への遊技球の流入を可能または不可とすることができるようになっている（図２参照）。
【００３４】
尚、本実施例における遊技島１は、上部タンク７１１や回収通路１０５内部に貯留された遊技球のみを制御により循環して使用するいわゆる独立式の遊技島であるが、例えば遊技場内に並設される他の遊技島と上部タンク同士を適宜連結樋等により連結して、他の遊技島間で遊技球の貯留量の調整を行うことができるようにしてもよい。また、遊技者が獲得した遊技球を計数する計数装置が各パチンコ遊技機２Ａに対応して設けられ、各遊技島内において遊技球を循環使用することが可能に構成されたユニット式の遊技島であってもよい。
【００３５】
次に、揚送研磨装置７００の詳細な構造について説明する。図２に示すように、揚送研磨装置７００は、床面上にアンカー固定されるベース板７２０と、該ベース板７２０上に立設される上下方向に延びる柱状の柱体７０１と、ベース板７２０から柱体７０１に沿って上方に延設され、前述したペレットＱ（図３及び図４参照）とともに遊技球Ｐを揚送する円筒管状の揚送管７０２とを有している。尚、揚送管７０２は、正面視で角部が湾曲された略Ｌ字状をなしており、ベース板７２０に沿って水平方向に延びる水平部７０２ａと、柱体７０１に沿って垂直方向に延びる垂直部７０２ｂとを有している。
【００３６】
揚送管７０２の内部には、遊技球Ｐ及びペレットＱを搬送するための搬送スクリュー７０３（図３及び図４参照）が設けられている。この搬送スクリュー７０３は、屈曲可能な軸部の周りに帯状体を螺旋状に巻いて形成された公知の搬送スクリューにて構成される。また、搬送スクリュー７０３は、略Ｌ字状に屈曲された揚送管７０２の長手方向全体に亘って設けられている。この搬送スクリュー７０３は、揚送管７０２の下方側端部に設けられた揚送研磨モータ７０４により、軸周りに回転駆動される。この搬送スクリュー７０３の回転駆動とともに遊技球Ｐ及びペレットＱが、上部タンク７１１まで揚送される。
【００３７】
図４に示すように、揚送管７０２の水平部７０２ａの上部位置には、前述した合流部７０５が設けられ、この合流部７０５から遊技球Ｐが揚送管７０２内に投入されるようになっている。尚、合流部７０５には、ペレットＱに浄化液を噴霧する浄化液噴霧部７０８が接続されており、合流部７０５には、浄化液噴霧部７０８にて浄化液が噴霧されたペレットＱも投入されるようになっている。この浄化液噴霧部７０８は、円筒形状をなす管体をなし、この浄化液噴霧部７０８内に、ペレットＱを合流部７０５に向かって押し出す搬送スクリュー７０９が設けられている。そして、この搬送スクリュー７０９を回転駆動する搬送モータ７１０が浄化液噴霧部７０８の端部に設けられている。
【００３８】
尚、浄化液噴霧部７０８の下端近傍には、ペレットＱに浄化液を噴霧するための噴霧装置７０６の噴霧ノズル７０６ａが設けられている。この噴霧装置７０６により浄化液をペレットＱに噴霧することで、ペレットＱの表面に浄化液が付着した状態で、当該ペレットＱと遊技球Ｐとが合流部７０５で混合される。そして、合流部７０５からペレットＱとともに揚送管７０２内に投入された遊技球Ｐは、搬送スクリュー７０３の回転駆動とともに揚送される。
【００３９】
尚、搬送スクリュー７０３にて遊技球Ｐが揚送されるときに、遊技球ＰがペレットＱとともに撹拌され、ペレットＱの表面に付着している浄化液が遊技球Ｐの表面にも付着するとともに、当該遊技球Ｐの表面をペレットＱが研磨して汚れを落とすようになっている。そして、揚送・研磨された遊技球Ｐは、揚送管７０２の上端部からペレットＱとともに排出される。
【００４０】
尚、本実施例におけるペレットＱは合成樹脂製とされている。これら合成樹脂とする理由としては、コストとともに、ほぼ均一の大きさと形状のペレットＱを安価に製造できることから好ましいが、合成樹脂以外の材質、例えば、木材や布材や紙材等で構成しても良い。
【００４１】
また、合成樹脂の種類としては、ペレットＱの硬さが柔らかいと、研磨能力が低下するとともに、移送において詰まり易くなる一方、ペレットＱの硬さが硬すぎると、機械の損耗が大きくなるとともに、移動において割れてしまうペレットＱの数が大きくなって、ペレットＱの消費量が増えてしまうので、適宜な硬さを有することで研磨性能が高い樹脂、例えばナイロン樹脂や耐衝撃性を向上した変成アクリル樹脂やポリエチレンやポリプロピレン等を好適に用いることができる。尚、これらペレットＱとして、ナイロン樹脂製のペレットＱと、移送時の潤滑性能を高めるためにポリプロピレン製のペレットＱを混合する、つまり、異なる樹脂製のペレットを混合するようにしても良いし、ナイロン樹脂にポリプロピレン樹脂を混合したアロイ化した樹脂のペレットＱとしても良い。
【００４２】
また、これらのペレットＱの表面に、浄化液の極性（水系の浄化液であれば極性を大きくする、溶剤系の浄化液であれば極性を小さくする）を、ペレットＱの表面に改質剤等を塗布したり、改質処理（例えば、コロナ処理等）を行うことで、ペレットＱの表面に浄化液が付着、保持し易くしても良い。
【００４３】
また、ペレットＱの形状としては、本実施例では、公知の円柱状としたものを使用しているが、本発明はこれに限定されるものではなく、直方体形状や球形状やチップ形状をなす微小な粒状部材として形成しても良いし、浄化液の吸収量を多くするために、ペレットＱの表面を粗面としたり、多数の細孔（ポーラス）が形成されたものとしても良い。
【００４４】
また、ペレットＱの大きさとしては、ペレットＱの大きさが大き過ぎると遊技球Ｐの全体を研磨することができずに磨き残しが生じやすくなるばかりか遊技球Ｐとの分離が困難となってしまう一方、ペレットＱの大きさが小さ過ぎても、遊技球Ｐの間に充填されるペレットＱが多くなりすぎて詰まりを生じ易くなってしまうとともに、ゴミや汚れ等との分離も難しくなってしまうので、ペレットＱのサイズ（長さ）としては、例えば、遊技球Ｐの直径の２分の１から５分の１の範囲であって、ペレットＱの径としては、該範囲のサイズとしたときに破損や折れ等を生じない径とすれば良い。
【００４５】
また、ペレットＱに噴霧される浄化液としては、本実施例では、比較的安価であるとともに、乾燥時において溶剤回収等の必要のない水やイソプロピルアルコールの単体または混合液に、これら水やイソプロピルアルコールとの接触によって遊技球Ｐに錆が生じてしまうことを防止するための防錆剤や、移送や攪拌等において遊技球ＰやペレットＱが摺接することによる静電気の発生を防止するための帯電防止剤等を適宜な割合にて添加したものを使用している。
【００４６】
このように、本発明では、ペレットＱとの摺接によって金属表面が露出することにより、水が介在することで該表面が酸化されて錆を生じやすくなることから防錆機能を有するとともに、静電気を帯びやすい樹脂製のペレットＱと遊技球Ｐとが攪拌されて移送されることにより、遊技球Ｐが静電気を帯びて種々の問題を生じることを防ぐために帯電防止機能を有する浄化液を使用しているが、本発明はこれに限定されるものではなく、これら防錆機能や帯電防止機能は必ずしも必要なものではなく、これら防錆機能や帯電防止機能を有しないものであっても、ペレットＱによる洗浄性能を向上でき、コストが安価なものであれば浄化液として使用できることは言うまでもない。
【００４７】
尚、上記した防錆剤としては、水に添加可能な公知の防錆剤であって、遊技球Ｐの表面に付着しても、毒性（遊技球Ｐに遊技者が触れるため）や遊技球Ｐ表面の白化等の問題が生じないものであれば使用することができる。また、上記した帯電防止剤としては、水に添加可能な公知の帯電防止剤であって、毒性や遊技球Ｐ表面の白化等の問題が生じないもの、例えば、空気中の水分を吸着しやすい極性官能基と、金属表面やペレットＱ表面に付着しやすい疎水性官能基とを有する界面活性能を有するものを好適に使用することができる。
【００４８】
このように浄化液の成分が構成されていることで、遊技球Ｐの研磨及び浄化力を向上することができる。また、遊技球Ｐ及びペレットＱに静電気が帯電してしまうことを防止できる。また、遊技球Ｐの表面に生じる錆を防止できる。更に、ペレットＱに付着した汚れを浄化することができる。
【００４９】
図３に示すように、揚送管７０２の上部には、揚送管７０２から排出された遊技球ＰとペレットＱとを分離するための分離部７１２が設けられている。この分離部７１２は、上部タンク７１１内に設けられており、上部タンク７１１内の遊技球Ｐが貯留される区画とは、別区画を形成している。そして、分離部７１２内には、揚送管７０２の上部から排出された遊技球ＰとペレットＱとが流れ込む篩部７１３が設けられている。この篩部７１３の目は、遊技球Ｐが通過できないように、該遊技球Ｐよりも小さい孔として形成されているとともに、当該篩部７１３の目は、遊技球Ｐよりも小さく形成されているペレットＱが通過することが可能な大きさの孔として形成されている。
【００５０】
また、篩部７１３は、揚送管７０２の上部から下方に向かって傾斜されており、揚送管７０２の上部から排出された遊技球Ｐが篩部７１３に沿って流下して上部タンク７１１内の遊技球Ｐが貯留される区画まで排出される間に、ペレットＱが遊技球Ｐから分離される。
【００５１】
尚、分離部７１２の上板には、空気を吸気する複数の微小な吸気孔７１２ａが形成されているとともに、上部タンク７１１の上板において、分離部７１２の吸気孔７１２ａに対応する部位には、空気を吸気する複数の微小な吸気孔７１１ａが形成されている。更に、篩部７１３の下方位置における分離部７１２の底板には、後述する紛体分離器７１５に接続され、分離部７１２内の空気を吸引する吸引管７１２ｂが接続されている。この吸引管７１２ｂにより空気を吸引することで、遊技球Ｐが篩部７１３に沿って流下している間に、ペレットＱが遊技球Ｐから強制的に離れるようになり、当該篩部７１３の目を介して落下するようになっている。また、分離部７１２の上板における吸気孔７１２ａに対応する部位には、吸気孔７１２ａから吸気された空気を加熱するヒーター７１４が設けられている。このヒーター７１４により加熱された温風が遊技球Ｐ及びペレットＱに当ることにより、遊技球Ｐ及びペレットＱの表面に付着した浄化液が蒸発し、遊技球Ｐ及びペレットＱが乾燥されるようになる。
【００５２】
また、分離部７１２において遊技球Ｐと分離したペレットＱは、紛体分離器７１５内に吸引される。この紛体分離器７１５（サイクロン）は、下部が漏斗状をなす略円筒形状をなし、その円周方向からペレットＱが吸引力により生じる流速により渦を描く様に流れ込むようになっている公知の紛体分離器７１５が用いられている。
【００５３】
尚、ペレットＱが乾燥されることによりペレットＱの表面から分離したゴミ等は、遠心力によりペレットＱと分離され、質量が大きいペレットＱが紛体分離器７１５の周縁部に移動し、質量の小さいゴミ等が紛体分離器７１５の中央部に移動するようになっている。そして、ゴミ等は、紛体分離器７１５の上部中央に設けられた吸引管７１６により吸引され、吸引装置（図示略）に設けられたフィルタ等により回収される。つまり本実施例では、ペレットＱに付着した浄化液によりペレットＱの表面に付着したゴミ等の汚れが落ちやすくなっており、浄化液の蒸発とともに、ペレットＱの表面に付着したゴミ等が剥がれ落ちるようになっている。そのためペレットＱを新しいものと交換したり、ペレットＱ専用の洗浄装置で洗浄したりするメンテナンス作業は、３ヶ月に１度程度の頻度で行えばよいようになっている。
【００５４】
尚、ゴミ等と分離されたペレットＱは、紛体分離器７１５の内面に衝突しながら重力により落下して、流下管７１７により下方に流下されるようになる。そして、ペレットＱは、流下管７１７の下端が接続された前述した浄化液噴霧部７０８（図４参照）内に投入される。浄化液噴霧部７０８に投入されたペレットＱは、浄化液が噴霧されて再び遊技球Ｐを揚送・研磨するために用いられる。
【００５５】
以上説明したように、本発明の実施例としての揚送研磨装置７００にあっては、揚送管７０２の搬送スクリュー７０３により撹拌しながらペレットＱと遊技球Ｐとが揚送されるため、浄化液が付着したペレットＱにより遊技球Ｐが揚送中に研磨されながら浄化されるので、浄化力を向上させることができる。
【００５６】
また、分離部７１２において、吸気孔７１２ａから吸気された空気を加熱するヒーター７１４が設けられ、このヒーター７１４により加熱された温風が遊技球Ｐに当ることにより、遊技球Ｐの表面に付着した浄化液が蒸発することで、遊技球Ｐを乾かすことができ、遊技球Ｐに生じる錆や、遊技球Ｐの流れ不良を防止することができる。
【００５７】
尚、本実施例では、分離部７１２において、吸気孔７１２ａから吸気された空気を加熱するヒーター７１４が設けられ、遊技球Ｐを乾かすようになっているが、本発明はこれに限定されるものではなく、遊技球Ｐが流れる供給樋４にヒーターを設けて遊技球Ｐを乾かすようにしても良いし、特にヒーター７１４などの加熱手段を設けることなく、吸気孔７１２ａから吸気された空気により遊技球Ｐを自然乾燥させるものであっても良い。
【００５８】
また、本実施例では、遊技球ＰとペレットＱとを同時に乾燥させるようになっているが、本発明はこれに限定されるものではなく、遊技球ＰをペレットＱと分離後に乾燥させても良い。また、遊技球Ｐを乾燥させる手段と、ペレットＱを乾燥させる手段とをそれぞれ別個に設けるようにしても良い。
【００５９】
尚、本実施例では、ペレットＱに浄化液を噴霧するための噴霧装置７０６の噴霧ノズル７０６ａが浄化液噴霧部７０８の下端近傍に設けられ、ペレットＱが遊技球Ｐと合流する合流部７０５に投入される直前に浄化液噴霧部７０８にてペレットＱに浄化液が噴霧されているが、本発明はこれに限定されるものではなく、合流部７０５にてペレットＱと遊技球Ｐとが混合された後に、浄化液を噴霧するようにしても良い。このようにすることで、ペレットＱと遊技球Ｐとが充分に混合された状態で、双方に浄化液を噴霧することができる。また、合流部７０５にてペレットＱと遊技球Ｐとが混合されると同時に、浄化液を噴霧するようにしても良い。このようにすることで、ペレットＱと遊技球Ｐとが混合される作用を利用して双方に浄化液を混合させることができる。また、分離部７１２にてペレットＱと遊技球Ｐとが分離された直後に、ペレットＱに浄化液を噴霧するようにして、揚送研磨装置７００内のペレットＱは、常に浄化液が付着している状態にしても良い。このようにすることで、長時間浸されることで被浄化物を浄化する作用を有する浄化液を用いる場合などに、ペレットＱに常に浄化液が付着されるので、ペレットＱの浄化が効果的に行える。また、ペレットＱが紛体分離器７１５にてゴミ等を分離された直後に、ペレットＱに浄化液を噴霧するようにしても良い。このようにすることで、ゴミ等が分離されたクリーンなペレットＱに浄化液が付着するので、遊技球Ｐに接触する前の浄化液が汚染されることがない。尚、吸引管７１２ｂ内や紛体分離器７１５内に浄化液を噴霧できるように噴霧装置が設けられていても良い。
【００６０】
尚、ゴミ等と分離されたペレットＱが流下される流下管７１７の下端に、ペレットＱを貯留するペレット貯留タンクを設けるようにしても良い。また、ペレットＱを洗浄するための洗浄装置を揚送研磨装置７００が内蔵していても良い。
【００６１】
尚、本実施例では、ペレットＱに浄化液を噴霧するようになっているが、本発明はこれに限定されるものではなく、浄化液をペレットＱの表面に付着する手段は、噴霧以外の手段を用いても良く、例えば、浄化液を貯留する浄化液貯留部を設け、当該浄化液貯留部内の浄化液に水没させたペレットＱを取り出することで、ペレットＱの表面に浄化液を付着させるようにしても良い。
【００６２】
尚、ペレットＱに大量に浄化液を噴霧した場合に、揚送管７０２内等に浄化液が溜まってしまうことを防止するために、揚送管７０２等に浄化液が排出される水抜き用の排出口を設けるようにしても良い。また、浄化液の噴霧量を調整する噴霧量調整手段を設けるようにしても良い。例えば、揚送研磨制御用コントローラ２２０が、揚送・研磨される遊技球Ｐの量が少なくなってきたとき、または間欠運転の間隔が長くなってきたときに、浄化液の噴霧量を減らす制御を行うことで、浄化液の噴霧量を調整しても良い。また、遊技場の営業が終了する終了時刻間近になったら浄化液の噴霧量を減らすように制御しても良い。
【００６３】
次に、揚送研磨装置７００の回路構成について、図１６に基づいて詳述する。図１６（Ａ）には、揚送研磨装置７００の回路構成の一例が示されている。揚送研磨装置７００は、揚送研磨装置７００の駆動を制御するための各種回路が搭載されている。揚送研磨基板２２１には、例えば揚送研磨装置７００の駆動を制御するための揚送研磨制御用コントローラ２２０や、遊技球検出用の近接センサ２１０Ｌ，２１０Ｒからの検出信号を取り込んで揚送研磨制御用コントローラ２２０に伝送する入力回路２２３、揚送研磨制御用コントローラ２２０からのモータ駆動信号をシャッタモータ２０２Ｌ，２０２Ｒ、揚送研磨モータ７０４に伝送する出力回路２２４などが搭載されている。
【００６４】
揚送研磨制御用コントローラ２２０は、揚送研磨制御用のプログラム等を記憶するＲＯＭ（ReadOnlyMemory）２３０と、揚送研磨制御用のワークエリアを提供するＲＡＭ（RandomAccessMemory）２３１と、揚送研磨制御用のプログラムを実行して制御動作を行うＣＰＵ（CentralProcessingUnit）２３２と、Ｉ／Ｏ（Input/Outputport）２３３と、時刻を計時するリアルタイムクロック（ＲＴＣ）２３４とを備えて構成される。
【００６５】
尚、本実施例のＲＴＣ２３４は、後述する揚送研磨処理（図１７参照）において、現在時刻が遊技場の営業期間外であるか否かを判定するときに用いられる。また、本実施例では、遊技場において客が遊技機で遊技を行う開店中の時間帯である１０：００〜２３：００までの時間帯を営業時間と定義する。そして、開店前及び閉店後の所定時間を含めた揚送研磨装置７００が稼働する時間帯である９：００〜２４：００までの時間帯を営業期間と定義する。更に、この営業期間以外の時間帯である２４：００〜９：００までの時間帯を営業期間外と定義する。尚、このＲＴＣ２３４は、時刻の計時のみならず、年、月、日付や曜日などを特定可能に計時しても良い。
【００６６】
揚送研磨制御用コントローラ２２０には、揚送研磨装置７００に供給するための電力を直流電力から交流電力に変換するためのインバータ２４０を介して電力が供給されている。また、インバータ２４０は、図２に示すように、金属ボックス２４１に覆われた状態で収納されており、インバータ２４０から発生するノイズにより周辺機器に影響を与えることを回避できるようになっている。また、揚送研磨制御用コントローラ２２０は、遊技島１に設置され該遊技島１内における各種機器（例えば、計数装置１５など）に接続される島コントローラ２５０に接続されている。
【００６７】
図１６（Ｂ）の説明図に示すように、揚送研磨制御用コントローラ２２０は、近接センサ２１０Ｌ，２１０Ｒによる遊技球の検出結果に基づいて、揚送研磨装置７００の揚送研磨モータ７０４及びシャッタモータ２０２Ｌ，２０２Ｒの駆動制御を行う。具体的には、揚送研磨制御用コントローラ２２０は、揚送研磨装置７００の駆動初期状態においては、シャッタ装置２００Ｌ，２００Ｒを非許容状態とする。そして、接続樋１０Ｌ，１０Ｒから回収通路１０５に向けて揚送研磨装置７００にて揚送研磨される遊技球が滞留し、いずれかの近接センサ２１０Ｌ，２１０Ｒ；ｏｎであると判定したとき（近接センサ２１０Ｌ，２１０Ｒ；ｏｎ）、揚送研磨装置７００にて揚送研磨される遊技球が接続樋１０Ｌ，１０Ｒから回収通路１０５にかけて所定量以上滞留している、つまり、揚送研磨動作の開始条件が成立したとして、設定された研磨開始待ち時間（ｔａ）が経過したときに、ｏｎ判定された近接センサに対応する側のシャッタモータ２０２Ｌ，２０２Ｒにより可動板２０１Ｌ，２０１Ｒを閉鎖位置から開放位置に移動させ、シャッタ装置２００Ｌ，２００Ｒを許容状態とするとともに、揚送研磨モータ７０４を駆動して、揚送研磨動作を開始する。
【００６８】
また、揚送研磨動作を開始した後、いずれかの近接センサ２１０Ｌ，２１０Ｒ；ｏｆｆであると判定したとき（近接センサ２１０Ｌ，２１０Ｒ；ｏｆｆ）、揚送研磨装置７００にて揚送研磨される遊技球が接続樋１０Ｌ，１０Ｒから回収通路１０５にかけて所定量以上滞留していない、つまり、揚送研磨動作の停止条件が成立したとして、ｏｆｆ判定された近接センサに対応する側のシャッタモータ２０２Ｌ，２０２Ｒにより可動板２０１Ｌ，２０１Ｒを開放位置から閉鎖位置に移動させ、シャッタ装置２００Ｌ，２００Ｒを非許容状態とした後、揚送研磨モータ７０４の駆動を停止して、揚送研磨動作を停止する。尚、このように揚送研磨装置７００の揚送研磨駆動を間欠的に行うことを間欠運転と称する場合がある。
【００６９】
また、後述するように、営業期間外に間欠運転を行う場合において、揚送研磨モータ７０４の駆動を停止する際には、予め定められた研磨停止待ち時間（ｔｂ）が経過したとき、揚送研磨モータ７０４の駆動を停止して、揚送研磨動作を停止する。
【００７０】
この研磨停止待ち時間（ｔｂ）は、揚送研磨装置７００への遊技球の流入を規制したときに既に可動板２０１Ｌ，２０１Ｒを通過した全ての遊技球が揚送されるまでに要する時間を設定することが好ましい。具体的には、可動板２０１Ｌ，２０１Ｒが閉鎖位置に移動したときに揚送研磨装置７００内に残存している遊技球に加え、可動板２０１Ｌ，２０１Ｒの下流側にある遊技球、つまり、図２に示すように、可動板２０１Ｌ，２０１Ｒから合流部７０５までの間に滞留している遊技球全てが揚送研磨装置７００内に供給され、上部タンク７１１に揚送されるまでに要する時間とされる。よって、近接センサ２１０Ｌ，２１０Ｒ；ｏｆｆであると判定したとき（近接センサ２１０Ｌ，２１０Ｒ；ｏｆｆ）から研磨停止待ち時間（ｔｂ）が経過した時点で揚送研磨装置７００の揚送研磨駆動を停止することで、揚送研磨装置７００に残存する遊技球、接続樋１０Ｌ，１０Ｒにある遊技球を全て揚送して、少なくとも揚送研磨装置７００内部に遊技球が残存しない状態としてから揚送研磨駆動を停止させることができる。
【００７１】
このように営業期間外における間欠運転において、揚送研磨装置７００の揚送研磨駆動を停止する場合には、揚送経路内に遊技球が残存しないようになり、その後に遊技島１の電源を落としても、揚送研磨装置７００内で長期時間に亘って浄化液が噴霧されたペレットＱとともに遊技球Ｐが留まることがないので、遊技球に生じる錆や汚れの固定化（こびりつき）等を防止できる。
【００７２】
尚、このように揚送研磨動作の停止条件が成立したときから予め定められた研磨停止待ち時間（ｔｂ）が経過したときに揚送研磨駆動を停止するのではなく、例えば揚送研磨装置７００の上部タンク７１１に通じる排出口に遊技球の検出センサ等を設け、揚送研磨装置７００への遊技球の流入を規制した後、当該検出センサが遊技球を検出してから所定時間内に新たな遊技球が検出されなくなったことを条件に、揚送研磨駆動を停止させるようにしてもよい。
【００７３】
また、営業期間内において揚送研磨装置７００のメンテナンス作業等を実施する場合には、特定の停止操作を行うことにより、揚送研磨装置７００の揚送駆動を手動で停止させることができるようになっているが、この場合において営業期間内であっても、シャッタ装置２００Ｌ，２００Ｒにより揚送研磨装置７００への遊技球の流入を規制した後、所定期間が経過した時点で揚送研磨装置７００の揚送清浄駆動を停止する。
【００７４】
また、揚送研磨制御用コントローラ２２０は、近接センサ２１０Ｌ，２１０Ｒにより遊技球が所定時間（例えば、１０秒）検出されず近接センサ２１０Ｌ，２１０Ｒ；ｏｆｆと判定したときから停止期間タイマにより計時を開始し、次回、近接センサ２１０Ｌ，２１０Ｒにより遊技球が所定時間（例えば、１０秒）連続して検出され近接センサ２１０Ｌ，２１０Ｒ；ｏｎと判定するまでの時間、つまり、揚送研磨動作が停止されている停止期間（ｔｃ）を計時する。
【００７５】
そして、図１６（Ｃ）に示すように、営業期間内において、揚送研磨制御用コントローラ２２０は、近接センサ２１０Ｌ，２１０Ｒ；ｏｎと判定したときに、停止期間タイマにより計時された時間（停止期間：ｔｃ）が、０〜３０秒の範囲内である場合は、研磨開始待ち時間（ｔａ）を設定せず（ｔａ＝０秒）、直ちに揚送研磨モータ７０４の駆動を再開し、遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とする。
【００７６】
尚、営業期間外においては、停止期間タイマによる計時を行わないようになっている。そして、この営業期間外において、シャッタ装置２００Ｌ，２００Ｒにより揚送研磨装置７００への遊技球の流入を規制した後に経過した時間が、所定時間（０〜３０秒）の範囲内である場合は、後述する研磨停止待ち時間であり、可動板２０１Ｌ，２０１Ｒが閉鎖位置であるが、揚送研磨モータ７０４は駆動している状態、つまり、揚送研磨動作の実行中であるため、揚送研磨制御用コントローラ２２０は、近接センサ２１０Ｌ，２１０Ｒ；ｏｎと判定したときに、遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送研磨動作を継続する。
【００７７】
尚、本実施例では、特に詳細な図示はしないが、揚送研磨制御用コントローラ２２０は、揚送研磨装置７００の起動処理において、研磨開始待ち時間（ｔａ）として所定時間（例えば、３０秒）を設定するようにしているため、起動後、最初に近接センサ２１０Ｌ，２１０Ｒ；ｏｎと判定したときは、研磨開始待ち時間（ｔａ）３０秒が経過したときに、近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とし、揚送研磨動作を開始する。
【００７８】
また、停止期間（ｔｃ）が３１〜１２０秒の範囲内である場合は、研磨開始待ち時間（ｔａ）として１２０秒を設定し、近接センサ２１０Ｌ，２１０Ｒ；ｏｎと判定したときから１２０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させてシャッタ装置２００Ｌ，２００Ｒを許容状態とする。また、停止期間（ｔｃ）が１２０秒を超える場合は、研磨開始待ち時間（ｔａ）として１８０秒を設定し、近接センサ２１０Ｌ，２１０Ｒ；ｏｎと判定したときから１８０秒が経過したときに、遊技球を検出した近接センサに対応する側のシャッタモータ２０２Ｌ，２０２Ｒを介して可動板２０１Ｌ，２０１Ｒを閉鎖位置から開放位置に移動させ、シャッタ装置２００Ｌ，２００Ｒを許容状態とする。
【００７９】
すなわち、本実施例では、揚送研磨動作の開始条件が成立したとき、所定の研磨開始待ち時間（ｔａ）が経過したことに基づいて揚送研磨動作を開始するが、この研磨開始待ち時間（ｔａ）が、前回の揚送研磨動作が停止してから新たな揚送研磨開始条件が成立するまでの時間に応じて変更される、つまり、停止期間に応じて異なる研磨開始待ち時間が設定される。
【００８０】
例えば、揚送研磨動作を停止したときから回収通路に所定量以上の遊技球が滞留するまでの時間が短い場合、つまり、稼働しているパチンコ遊技機２Ａが多い場合は、上部タンク７１１の貯留量が減少してパチンコ遊技機２Ａへの遊技球の供給が途絶えることがないように、研磨開始待ち時間として短い時間が設定されるので研磨動作が早く開始される。一方、揚送研磨動作を停止したときから回収通路に所定量以上の遊技球が滞留するまでの時間が長い場合、つまり、稼働しているパチンコ遊技機２Ａが少ない場合は、上部タンク７１１の貯留量が減少してパチンコ遊技機２Ａへの遊技球の供給が直ちに途絶えることがなく、研磨開始待ち時間として長い時間が設定されるので、研磨動作が余裕をもって開始されるなど、パチンコ遊技機２Ａの稼働状況に応じて効率よく研磨動作を行うことが可能となる。
【００８１】
尚、本実施例では、停止期間（ｔｃ）が３１〜１２０秒の範囲内である場合は、研磨開始待ち時間（ｔａ）が１２０秒に変更（設定）され、停止期間（ｔｃ）が１２０秒を超える場合は、研磨開始待ち時間（ｔａ）が１８０秒に変更（設定）されるようになっているが、本発明はこれに限定されるものではなく、停止期間（ｔｃ）や該停止期間（ｔｃ）に応じて設定される研磨開始待ち時間（ｔａ）は上記以外の時間を設定するようにしてもよい。
【００８２】
また、本実施例では、停止期間（ｔｃ）に応じて研磨開始待ち時間（ｔａ）が１２０秒または１８０秒に変更（設定）されるようになっていたが、３以上の研磨開始待ち時間（ｔａ）に変更（設定）可能としてもよい。
【００８３】
また、本実施例では、近接センサ２１０Ｌ，２１０Ｒ；ｏｆｆと判定したことに基づいて対応するシャッタ装置２００Ｌ，２００Ｒを非許容状態に変化させるタイミングは、合流部７０５からシャッタ装置２００Ｌ，２００Ｒの上流側まで遊技球が滞留している状態とされている。具体的には、近接センサ２１０Ｌ，２１０Ｒ；ｏｆｆと判定されたときに、合流部７０５からシャッタ装置２００Ｌ，２００Ｒの上流側まで遊技球が滞留されているように、近接センサ２１０Ｌ，２１０Ｒは、可動板２０１Ｌ，２０１Ｒからそれぞれ同じ距離だけ上流側に離れた箇所に配設されている。
【００８４】
つまり、揚送研磨装置７００の駆動が開始された後、回収された遊技球が新たに加わることなく、合流部７０５から近接センサ２１０Ｌ，２１０Ｒにかけて滞留している遊技球がシャッタ装置２００Ｌ，２００Ｒの上流側付近まで減少するのに要する時間が約１０秒を超える、すなわち、近接センサ２１０Ｌ，２１０Ｒにより遊技球が検出されなくなってから近接センサ２１０Ｌ，２１０Ｒ；ｏｆｆと判定されるまでに要する時間である１０秒よりも長い時間となる距離とされていればよい。このようにすることで、可動板２０１Ｌ，２０１Ｒが開放位置から閉鎖位置に移動したときに、その上流側にも遊技球が存在することになるので、回収された遊技球が直接可動板２０１Ｌ，２０１Ｒに衝突して損傷することを防止できる。
【００８５】
次に、揚送研磨制御用コントローラ２２０が実行する揚送研磨処理について、図１７のフローチャートに基づいて説明する。図１７は、揚送研磨制御用コントローラが実行する揚送研磨処理の制御内容を示すフローチャートである。尚、揚送研磨処理は、揚送研磨装置の起動処理を行った後のタイマ割込み処理にて実行される処理である。
【００８６】
揚送研磨制御用コントローラ２２０は、まず、揚送研磨装置７００の揚送研磨モータ７０４が駆動して揚送研磨動作が実行されていることを示す研磨中フラグがＲＡＭ２３１にセットされているか否かを判定する（Ｓ１０１）。研磨中フラグがセットされていない場合（Ｓ１０１；Ｎｏ）、揚送研磨動作の開始条件が成立したと判定されてから揚送研磨動作を行うまでの研磨開始待ち時間（ｔａ）であることを示す研磨開始待ちフラグがセットされているか否かを判定する（Ｓ１０２）。
【００８７】
研磨開始待ちフラグがセットされていない場合（Ｓ１０２；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定する（Ｓ１０３）。近接センサ２１０Ｌ，２１０Ｒ；ｏｎでない場合は、揚送研磨装置７００にて揚送研磨される遊技球が接続樋１０Ｌ，１０Ｒから回収通路１０５にかけて所定量以上滞留していないとして、そのまま処理を終了する。また、近接センサ２１０Ｌ，２１０Ｒ；ｏｎである場合、つまり、揚送研磨装置７００にて揚送研磨される遊技球が接続樋１０Ｌ，１０Ｒから回収通路１０５にかけて所定量以上滞留している場合は（Ｓ１０３；Ｙｅｓ）、停止期間タイマのカウント値を確認し、該停止期間タイマの値が０〜３０秒の範囲の値であるか否かを判定する（Ｓ１０３＋）。ここで、停止期間タイマの値が０〜３０秒の範囲の値である場合（Ｓ１０３＋；Ｙｅｓ）、後述するＳ１１０に進む。一方、停止期間タイマの値が０〜３０秒の範囲の値でない場合（Ｓ１０３＋；Ｎｏ）、停止期間タイマのカウント値を確認し、該停止期間タイマの値が３１〜１２０秒の範囲の値であるか否かを判定する（Ｓ１０４）。停止期間タイマの値が３１〜１２０秒の範囲の値である場合（Ｓ１０４；Ｙｅｓ）、研磨開始待ちタイマに１２０秒に相当する値をセットする（Ｓ１０５）。また、停止期間タイマの値が３１〜１２０秒の範囲の値でない場合（Ｓ１０４；Ｎｏ）、研磨開始待ちタイマに１８０秒に相当する値をセットする（Ｓ１０７）。そして、Ｓ１０５またはＳ１０７の後、研磨開始待ちフラグをセットし（Ｓ１０６）、終了する。尚、停止期間タイマの値が３０秒以内の場合は、後述する研磨停止待ち時間であって研磨中フラグがセットされているので、後述するＳ１２８〜Ｓ１３０の処理が行われる。
【００８８】
研磨開始待ちフラグがセットされている場合（Ｓ１０２；Ｙｅｓ）、研磨開始タイマのタイマ値を１減算し（Ｓ１０８）、研磨開始待ちタイマのタイマ値が０になったか否か、つまり、近接センサ２１０Ｌ，２１０Ｒ；ｏｆｆと判定されてから、Ｓ１０５またはＳ１０７にて設定された時間が経過したか否かを判定する（Ｓ１０９）。研磨開始待ちタイマのタイマ値が０になっていないときは（Ｓ１０９；Ｎｏ）、研磨開始待ち時間であるとして、そのまま処理を終了する。また、研磨開始待ちタイマのタイマ値が０になっているときは（Ｓ１０９；Ｙｅｓ）、Ｓ１１０に進む。このＳ１１０において、可動板２０１Ｌ，２０１Ｒを閉鎖位置から開放位置へ移動させる。次いで、揚送研磨モータ７０４を駆動させて揚送研磨動作を開始させる（Ｓ１１１）。そして、研磨開始待ちフラグをクリアし（Ｓ１１２）、研磨中フラグをセットした後（Ｓ１１３）、処理を終了する。
【００８９】
また、Ｓ１０１にて研磨中フラグがセットされている場合（Ｓ１０１；Ｙｅｓ）、揚送研磨動作の停止条件が成立したと判定されてから揚送研磨動作を停止するまでの研磨停止待ち時間（ｔｂ）であることを示す研磨停止待ちフラグがセットされているか否かを判定する（Ｓ１２０）。研磨停止待ちフラグがセットされていない場合（Ｓ１２０；Ｎｏ）、近接センサ２１０Ｌ，２１０Ｒ；ｏｆｆであるか否か、つまり、近接センサ２１０Ｌ，２１０Ｒにより遊技球が所定時間である１０秒検出されなかったか否かを判定し（Ｓ１２１）、近接センサ２１０Ｌ，２１０Ｒ；ｏｆｆでない場合（Ｓ１２１；Ｎｏ）は、そのまま処理を終了する。また、近接センサ２１０Ｌ，２１０Ｒ；ｏｆｆである場合（Ｓ１２１；Ｙｅｓ）は、揚送研磨装置７００にて揚送研磨される遊技球が接続樋１０Ｌ，１０Ｒから回収通路１０５にかけて所定量以上滞留していないとして、可動板２０１Ｌ，２０１Ｒを開放位置から閉鎖位置へ移動させる（Ｓ１２２）。
【００９０】
次いで、ＲＴＣ２３４が計時する現在時刻が営業期間外の時間帯である２４：００〜９：００までの時間帯であるか否かを判定する（Ｓ１２２＋）。ここで、現在時刻が営業期間以外である場合（Ｓ１２２＋；Ｙｅｓ）、研磨停止待ちタイマ値に研磨停止待ち時間である３０秒に相当する値をセットし（Ｓ１２３）、研磨停止待ちフラグをセットした後（Ｓ１２４）、処理を終了する。現在時刻が営業期間外でない場合、つまり９：００〜２４：００までの時間帯である営業期間内である場合（Ｓ１２２＋；Ｙｅｓ）、停止期間タイマのタイマをスタートさせ（Ｓ１２５）、後述するＳ１３２に進む。
【００９１】
研磨停止待ちフラグがセットされている場合（Ｓ１２０；Ｙｅｓ）、研磨停止待ちタイマのタイマ値を１減算し（Ｓ１２６）、研磨停止待ちタイマのタイマ値が０になったか否かを判定する（Ｓ１２７）。研磨停止待ちタイマのタイマ値が０になっていない場合（Ｓ１２７；Ｎｏ）、近接センサ２１０Ｌ，２１０Ｒ；ｏｎであるか否か、つまり、近接センサ２１０Ｌ，２１０Ｒにより遊技球が所定時間である１０秒連続して検出されたか否かを判定し（Ｓ１２８）、近接センサ２１０Ｌ，２１０Ｒ；ｏｎでない場合（Ｓ１２８；Ｎｏ）は、揚送研磨装置７００にて揚送研磨される遊技球が接続樋１０Ｌ，１０Ｒから回収通路１０５にかけて所定量以上滞留していないとして、そのまま処理を終了する。また、近接センサ２１０Ｌ，２１０Ｒ；ｏｎである場合、つまり、揚送研磨装置７００にて揚送研磨される遊技球が接続樋１０Ｌ，１０Ｒから回収通路１０５にかけて所定量以上滞留している場合は（Ｓ１２８；Ｙｅｓ）、研磨停止待ち時間中であることから、停止期間タイマの値は０〜３０秒の範囲内であるため、研磨開始待ちタイマに所定時間を設定することなく、可動板２０１Ｌ，２０１Ｒを閉鎖位置から開放位置へ移動させるとともに（Ｓ１２９）、研磨停止待ちフラグをクリアして（Ｓ１３０）、処理を終了する。つまりこの場合、揚送研磨動作は継続して実行される。
【００９２】
また、研磨停止待ちタイマのタイマ値が０になった場合（Ｓ１２７；Ｙｅｓ）、研磨停止待ちフラグをクリアし（Ｓ１３１）、Ｓ１３２に進む。このＳ１３２において、研磨中フラグをクリアし（Ｓ１３２）、揚送研磨モータ７０４の駆動を停止して（Ｓ１３３）、処理を終了する。
【００９３】
次に、図２に基づいて、揚送研磨動作に伴う遊技球の回収状況の一例を説明する。尚、ここでは揚送研磨装置７００、右側のシャッタ装置２００Ｒ、近接センサ２１０Ｒの動作状況について説明し、左側のシャッタ装置２００Ｌ、近接センサ２１０Ｌの動作状況は同一であるため説明は省略する。
【００９４】
図２に示すように、シャッタ装置２００Ｒを非許容状態とされている場合において、各パチンコ遊技機２Ａから排出された遊技球は、回収通路１０５内に落下し、該回収通路１０５から接続樋１０Ｒに向けて流下して回収されていく。そして、接続樋１０Ｒにおいて、閉鎖位置にある可動板２０１Ｒにより流下が規制されることで、揚送研磨装置７００により揚送研磨される遊技球が、接続樋１０Ｒの可動板２０１Ｒから回収通路１０５に向けて滞留（待機）されていく。
【００９５】
そして、パチンコ遊技機２Ａから新たに排出された遊技球が滞留している遊技球群の最後尾に次々と滞留していく。そして、滞留している遊技球群の最後尾が近接センサ２１０Ｒ付近に到達し、近接センサ２１０Ｒにより遊技球が所定時間である１０秒連続して検出されたと判定されると（近接センサ２１０Ｒ；ｏｎ）、揚送研磨装置７００にて揚送研磨される遊技球が接続樋１０Ｒから回収通路１０５にかけて所定量以上滞留しているとして、近接センサ２１０Ｒ；ｏｎと判定された時点から所定の研磨開始待ち時間（ｔａ）が経過したときに、可動板２０１Ｒが閉鎖位置から開放位置に移動されるとともに、揚送研磨モータ７０４が駆動されて揚送研磨動作が開始される。これにより、該可動板２０１Ｒにて規制され滞留していた遊技球が合流部７０５に誘導され、揚送研磨装置７００の内部に流入されていく。
【００９６】
また、揚送研磨動作が行われることで、合流部７０５から接続樋１０Ｒを介して回収通路１０５に向けて滞留している遊技球が揚送研磨装置７００に取り込まれて減少していく一方で、各パチンコ遊技機２Ａから排出され回収される遊技球があれば、合流部７０５から接続樋１０Ｒを介して回収通路１０５に向けて遊技球が滞留している状況が継続する。そして、各パチンコ遊技機２Ａから排出され回収される遊技球数より揚送研磨装置７００に取り込まれる遊技球数が上回ると、滞留している遊技球は減少していく。尚、揚送研磨装置７００に取り込まれる遊技球数が各パチンコ遊技機２Ａから排出され回収される遊技球数より上回ると、滞留している遊技球は維持または増加する。
【００９７】
そして、滞留している遊技球が減少し、滞留している遊技球群の最後尾が近接センサ２１０Ｒから離れていくと、近接センサ２１０Ｌ，２１０Ｒにより遊技球が所定時間である１０秒検出されなくなると、揚送研磨装置７００にて揚送研磨される遊技球が接続樋１０Ｌ，１０Ｒから回収通路１０５にかけて所定量以上滞留していないとして、可動板２０１Ｒが開放位置から閉鎖位置に移動される。
【００９８】
尚、前述したように、シャッタ装置２００Ｒの上流側に遊技球がある状態で可動板２０１Ｒが開放位置から閉鎖位置に移動されるように設定されていることで、可動板２０１Ｒが開放位置から閉鎖位置に移動したときに上流側に遊技球がいない状況となることがないので、接続樋１０Ｒを流下する遊技球が可動板２０１Ｒに直接衝突することが防止されている。
【００９９】
そして、営業期間内においては、可動板２０１Ｒが開放位置から閉鎖位置に移動されると同時に、揚送研磨モータ７０４の駆動が停止される。また、営業期間外においては、近接センサ２１０Ｒ；ｏｆｆと判定され可動板２０１Ｒが開放位置から閉鎖位置に移動されてから、研磨停止待ち時間である３０秒が経過するまでに近接センサ２１０Ｒが新たにｏｎとならなければ、揚送研磨モータ７０４の駆動が停止される。
【０１００】
以上説明したように、本発明の実施例としての遊技島１にあっては、営業期間外における間欠運転において、搬送スクリュー７０３の動作を停止させるときに、遊技球Ｐを排出する排出制御を行うことで、揚送管７０２内に遊技球Ｐが残らないので、揚送管７０２内で遊技球Ｐに錆等が発生することを防止することができる。
【０１０１】
また、営業期間内における間欠運転において、搬送スクリュー７０３の動作を停止させるときに、遊技球Ｐを排出する排出制御を行わないようにしており、遊技場の営業期間内に搬送スクリュー７０３の動作を停止させるときには、揚送管７０２内に遊技球Ｐが残留する時間が短く、揚送管７０２内で遊技球Ｐに錆等が生じる可能性が低いので、遊技球Ｐの排出制御を行わないようにして、遊技島１の電力消費を抑えることができる。
【０１０２】
また、複数設置されたパチンコ遊技機２Ａから排出される遊技球を回収する回収通路としての回収樋１７，１７、誘導樋１９、回収通路１０５、接続樋１０Ｌ，１０Ｒと、これら回収通路にて回収された遊技球を研磨する揚送研磨装置７００と、を備え、揚送研磨制御用コントローラ２２０は、図１７に示す揚送研磨処理におけるＳ１０３において近接センサ２１０Ｌ，２１０Ｒ；ｏｎになったか否か、つまり、揚送研磨装置７００にて揚送研磨される遊技球が接続樋１０Ｌ，１０Ｒから回収通路１０５にかけて所定量以上滞留しているか否かを判定し、図１７に示す揚送研磨処理におけるＳ１０３において近接センサ２１０Ｌ，２１０Ｒ；ｏｎになったと判定した後、Ｓ１０９において研磨開始待ちタイマのタイマ値が０になったと判定したときに可動板２０１Ｌ，２０１Ｒを開放位置に移動して揚送研磨モータを駆動させ、また、Ｓ１２１において近接センサ２１０Ｌ，２１０Ｒ；ｏｆｆになったと判定した後、Ｓ１２７において研磨停止待ちタイマのタイマ値が０になったと判定したときに可動板２０１Ｌ，２０１Ｒを閉鎖位置に移動して揚送研磨モータを停止させる。また、揚送研磨制御用コントローラ２２０は、図１７に示す揚送研磨処理におけるＳ１２１において近接センサ２１０Ｌ，２１０Ｒ；ｏｆｆになったと判定したとき、Ｓ１２５にて停止期間タイマをスタートさせて計時を開始させ、図１７に示す揚送研磨処理におけるＳ１０３において近接センサ２１０Ｌ，２１０Ｒ；ｏｎになったと判定したとき、Ｓ１０４にて停止期間タイマの値が３１〜１２０秒の間であるときにはＳ１０５にて研磨開始待ちタイマに１２０秒をセットし、Ｓ１０４にて停止期間タイマの値が３１〜１２０秒の間でないときにはＳ１０７にて研磨開始待ちタイマに１８０秒をセットし、Ｓ１２８にて近接センサ２１０Ｌ，２１０Ｒ；ｏｎになったと判定したときには、研磨開始待ちタイマに値をセットせずに可動板２０１Ｌ，２０１Ｒを開放位置に移動させる。
【０１０３】
このようにすることで、回収通路に所定量以上の遊技球が滞留していると判定したときに揚送研磨動作を開始させ、回収通路に所定量以上の遊技球が滞留していないと判定したときに揚送研磨動作を停止させる、つまり、揚送研磨装置７００を間欠駆動できるため、無駄な揚送研磨動作、例えば、揚送研磨する遊技球が少ないにもかかわらず揚送研磨動作を実行してしまうこと等が防止される。
【０１０４】
また、揚送研磨動作を停止したときから回収通路に所定量以上の遊技球が滞留するまでの時間が短い場合、つまり、稼働しているパチンコ遊技機２Ａが多い場合は揚送研磨動作を早く開始させ、回収通路に所定量以上の遊技球が滞留するまでの時間が長い場合、つまり、稼働しているパチンコ遊技機２Ａが少ない場合は余裕をもって揚送研磨動作を開始させるなど、パチンコ遊技機２Ａの稼働状況に応じて効率よく揚送研磨動作を行うことが可能となる。
【０１０５】
また、本実施例では、回収通路１０５、接続樋１０Ｌ，１０Ｒに滞留している遊技球を検出する検出手段としての近接センサ２１０Ｌ，２１０Ｒと、揚送研磨装置７００と近接センサ２１０Ｌ，２１０Ｒとの間に設けられ、該揚送研磨装置７００への遊技球の流入を許容する許容状態と許容しない非許容状態とに変化可能な可動手段としてのシャッタ装置２００Ｌ，２００Ｒと、を備え、営業期間外における間欠運転において、揚送研磨制御用コントローラ２２０は、図１７に示す揚送研磨処理におけるＳ１０３において近接センサ２１０Ｌ，２１０Ｒ；ｏｎになったか否かを判定し、また、Ｓ１２１において近接センサ２１０Ｌ，２１０Ｒ；ｏｆｆになったと判定したとき、Ｓ１２２にてシャッタ装置２００Ｌ，２００Ｒを非許容状態に変化させ、Ｓ１２３にて研磨停止待ちタイマに３０秒に相当する値をセットし、その後、Ｓ１２７にて研磨停止待ちタイマの値が０になったと判定したときに、Ｓ１３１にて揚送研磨モータ７０４を停止させる。
【０１０６】
このようにすることで、営業期間外における間欠運転において、揚送研磨装置７００の揚送研磨駆動を停止する場合には、遊技球Ｐを排出する排出制御を行うことで、揚送管７０２内に遊技球Ｐが残存しないようになり、その後に遊技島１の電源を落としても、揚送研磨装置７００内で長期時間に亘って遊技球が留まることがないので、遊技球に生じる錆や汚れの固定化（こびりつき）等を防止できる。
【０１０７】
また、本実施例では、揚送研磨装置７００に供給するための電力を直流電力から交流電力に変換するためのインバータ２４０と、インバータ２４０を囲う金属製の金属ボックス２４１と、を備えることで、インバータ２４０を使用することにより発生するノイズにより周辺機器（例えば、揚送研磨制御用コントローラ２２０や近接センサ２１０Ｌ，２１０Ｒ、パチンコ遊技機２Ａの各種電子機器等）に影響を与えることを回避できる。
【０１０８】
尚、本実施例では、本発明の研磨装置の一例として、遊技島１の下部に回収された遊技球を、遊技島１の上部タンク７１１に揚送しつつ研磨する揚送研磨装置７００が適用されていたが、本発明はこれに限定されるものではなく、遊技球を遊技島１の上部に揚送せずに研磨機能のみを有する研磨装置に適用してもよい。具体的には、例えば、揚送装置とは別個に、遊技島１の内部に配設された遊技球流路の一部に本発明が適用された研磨装置を配設すればよい。
【０１０９】
また、本実施例では、近接センサ２１０Ｌ，２１０Ｒ；ｏｎと判定されたことに基づいて揚送研磨動作が開始された後、近接センサ２１０Ｌ，２１０Ｒ；ｏｆｆと判定されたことに基づいて揚送研磨動作の停止条件が成立するようになっているが、本発明はこれに限定されるものではなく、揚送研磨動作が開始されてから所定時間経過後に揚送研磨動作の停止条件が成立するようにしてもよい。
【０１１０】
また、本実施例では、図１７に示す揚送研磨処理において、Ｓ１２１にて近接センサ２１０Ｌ，２１０Ｒ；ｏｆｆと判定されたことに基づいて、Ｓ１２５にて停止期間タイマによる計時を開始するようになっていたが、本発明はこれに限定されるものではなく、Ｓ１２１にて近接センサ２１０Ｌ，２１０Ｒ；ｏｆｆと判定された場合、Ｓ１３３にて揚送研磨モータ７０４の駆動を停止したことに基づいて、停止期間タイマによる計時を開始するようにしてもよい。
【０１１１】
次に、遊技島１の躯体構造について、図５〜図１５に基づいて詳述する。図５は、遊技島を示す正面図である。図６は、図５のＡ−Ａ断面図である。図７は、遊技島の内部構造を示す斜視図である。図８は、遊技島の躯体構造を示す斜視図である。図９は、腰板及び底板の構造を示す斜視図である。図１０は、図６のＢ−Ｂ断面図である。図１１は、腰板及び底板の動きを示す図１０のＣ−Ｃ断面図である。図１２は、腰板、底板及び回収通路の動きを示す図６の一部拡大断面図である。図１３は、封入式パチンコ遊技機が設置された状態を示す遊技島の断面図である。図１４は、スロットマシンが設置された状態を示す遊技島断面図である。図１５は、通常のパチンコ遊技機が設置された状態を示す遊技島の断面図である。尚、以下の説明においては、説明の便宜上、図５における紙面手前側（図５における封入式パチンコ遊技機の正面側）を遊技島の前面側、図５における紙面奥側（図５における封入式パチンコ遊技機の背面側）を遊技島の背面（後面）側として説明する。
【０１１２】
図５〜図７に示すように、本発明の実施例としての遊技島１は、例えば、遊技店（図示略）内に複数配設されている。遊技島１は、遊技機を左右方向に向けて複数設置可能に横長に構成され、その前後面には、遊技機が設置される設置空間部ＳＦ，ＳＢが長手方向に向けて複数個所に形成されている。前面側の各設置空間部ＳＦ及び後面側の各設置空間部ＳＢには、遊技機の一例であるパチンコ遊技機２Ａが設置されているとともに、各パチンコ遊技機２Ａに対応してカードユニット６及びユーティリティーユニット７が複数設置されている。
【０１１３】
ユーティリティーユニット７は、上部ユニット６１と長板状に形成された設置板１３ａとの間に立設される支持フレーム３１０を備え、該支持フレーム３１０には、例えば、空気清浄装置３０１と、分煙ボード３０２と、が配設されている。尚、本実施例では、ユーティリティーユニット７には、空気清浄装置３０１と、分煙ボード３０２と、が配設されているが、配設される装置や部位は種々に変更可能である。
【０１１４】
本実施例における躯体５は、通常のパチンコ遊技機２Ａ（図１５参照）の他、封入式パチンコ遊技機２（図１３参照）やスロットマシン３（図１４参照）等の遊技機を支持する支持体であって、遊技店等の床面Ｙ上に立設される下部ユニット６０と、下部ユニット６０の上部に設置される上部ユニット６１と、から主に構成される。
【０１１５】
尚、通常のパチンコ遊技機２Ａとは、本実施例の遊技島１の内部に設けられた上部タンク７１１（図１参照）から遊技球の供給を受け、遊技者の遊技の結果として払い出された遊技球を下皿２ｂに貯留、かつ、排出可能であるとともに、遊技に使用された遊技球を該パチンコ遊技機２Ａの背面側に排出するパチンコ遊技機のことである。
【０１１６】
尚、封入式パチンコ遊技機２とは、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶されるパチンコ遊技機のことである。また、以下の説明において通常のパチンコ遊技機２Ａと封入式パチンコ遊技機２とを、まとめてパチンコ遊技機２と称する場合がある。
【０１１７】
図７に示すように、上部ユニット６１は、木板により前後方向に開口する箱状に形成される幕板部５０ａと、該幕板部５０ａを支持する金属製フレームである上部フレーム体１７４と、からなるユニットであり、幕板部５０ａの前後面には、遊技店員を呼出す呼出しスイッチ（図示略）や遊技に関する情報の表示が可能、つまり、遊技店員の呼出しや遊技に関連する情報の報知等が可能な報知装置としての呼出しランプ２００が配設された幕板５０Ａ（図６参照）が、上辺を中心として開閉可能に取り付けられるようになっている。
【０１１８】
図６〜図８に示すように、下部ユニット６０は、管状の金属製フレームにより、遊技島１の下部である腰部及び中間部である設置部を構成するユニットであり、その前後面下部には、木製の腰板１２Ｆ，１２Ｂ及びその上方に固定される設置板１３ａが取り付けられるようになっており、該設置板１３ａの上面、つまり設置空間部ＳＦ，ＳＢには、パチンコ遊技機２Ａが設置板１３ａの長手方向に沿って設置されるとともに、カードユニット６、ユーティリティーユニット７が設置固定されるようになっている。また、下部ユニット６０内には、躯体５において通常のパチンコ遊技機２Ａを支持（設置）した際に、パチンコ遊技機２Ａから排出された遊技に使用された遊技球を遊技島１の内部に設けられた揚送研磨装置７００まで回収搬送する回収通路１０５が、遊技島１の長手方向に向けて設置されている。
【０１１９】
図８に示すように、下部ユニット６０は、互いに長手方向に対向して配置されるように所定の間隔を隔てて立設される左右一対の支持体６６Ｌ，６６Ｒと、これら支持体６６Ｌ，６６Ｒ間を連結する前後一対の連結フレーム６７Ｆ，６７Ｂと、からなる。連結フレーム６７Ｆ，６７Ｂを介して一体化された左右一対の支持体６６Ｌ，６６Ｒからなる下部ユニット６０は、躯体５の長手方向に沿って所定間隔おきに設置される。
【０１２０】
以下、支持体６６Ｌ，６６Ｒの構成について説明する。尚、支持体６６Ｌ，６６Ｒは、連結フレーム６７Ｆ，６７Ｂが左側か右側のいずれかに連結されている点のみが異なり、その他は同様に構成されているため、以下においては左側の支持体６６Ｌについて説明し、右側の支持体６６Ｒについての説明は省略することとする。
【０１２１】
支持体６６Ｌは、床面Ｙ上に立設される前支持体７０Ｆと、床面Ｙ上に立設され前支持体７０Ｆの背面側に並設される後支持体７０Ｂと、これら前支持体７０Ｆと後支持体７０Ｂとを連結する上下の連結ビーム７１，７２と、から構成されている。前支持体７０Ｆ及び後支持体７０Ｂは、それぞれ同形状に形成され、前後対象に配置されており、パチンコ遊技機２Ａの下部を支持する前後一対の下部フレーム体１７３，１７３と、下部フレーム体１７３，１７３の上方に設けられパチンコ遊技機２Ａの上部を支持する上部フレーム体１７４，１７４と、から構成されている。
【０１２２】
下部フレーム体１７３，１７３は、床面Ｙに立設される第１縦フレーム７４，７４と、第１縦フレーム７４，７４の上部から互いに他方の支持体に向けて略水平に延設される横フレーム７５，７５と、横フレーム７５，７５から上方に延設され上部フレーム体１７４，１７４が上下方向に位置調整可能に設けられる第２縦フレーム７６，７６と、を備えている。
【０１２３】
尚、本実施例では、これら各フレーム７４〜７６及び連結ビーム７１，７２は、断面略長方形状の金属管にて構成されているが、合成樹脂材からなる管体や非中空の柱状部材にて構成されていてもよく、素材や断面形状などは種々に変形可能である。また、第１縦フレーム７４，７４は、高さ位置を調整可能に構成されており、床面Ｙが平坦や水平でないときなどに対応して左右の支持体６６Ｌ，６６Ｒそれぞれの前後の支持体７０Ｆ，７０Ｂの高さ位置を調整することで、設置板１３ａを略水平に配置できるようになっている。
【０１２４】
横フレーム７５，７５は、一端が第１縦フレーム７４，７４の上端に溶着固定され、互いに他方の支持体に向けて略水平に延設された短寸のフレームにて構成されている。第２縦フレーム７６，７６は、横フレーム７５，７５における互いに対向する端部から上方に向けて延設されている。第２縦フレーム７６，７６の上下部には、連結ビーム７１，７２の端部がそれぞれ溶着により固定されている。また、上部フレーム体１７４，１７４には、上部ユニット６１（図７参照）が取り付けられる。
【０１２５】
また、長手方向に対向する支持体６６Ｌ，６６Ｒの横フレーム７５，７５の上面には、躯体５とは別個に側面視四角枠状に形成された設置枠１２０がネジ（図示略）等により着脱可能に取り付けられ、各設置枠１２０の上面に設置板１３ａが左右方向に架け渡され、これら設置板１３ａの上面にパチンコ遊技機２Ａを載置できるようになっている。つまり、長板状の設置板１３ａは、複数の支持体６６Ｌ，６６Ｒ間における該支持体６６Ｌ，６６Ｒの下端より上方の上方位置に架設される。
【０１２６】
設置板１３ａは、パチンコ遊技機２Ａを設置可能な前後幅寸法を有し、遊技島１の長手方向に向けて延びる所定長さの木製の長板からなる。尚、設置板１３ａの前後幅寸法は、通常のパチンコ遊技機２Ａの他、封入式パチンコ遊技機２やスロットマシン３も設置可能となるように形成されている。
【０１２７】
これにより、躯体５における下部ユニット６０と上部ユニット６１との間の前後面に、通常のパチンコ遊技機２Ａの他、封入式パチンコ遊技機２やスロットマシン３などの遊技機を設置可能な設置空間部ＳＦ，ＳＢが設けられる。詳しくは、設置空間部ＳＦは、下部ユニット６０における各前支持体７０Ｆの横フレーム７５の上面に架け渡される設置板１３ａと上部ユニット６１との間に形成され、設置空間部ＳＢは、下部ユニット６０における各後支持体７０Ｂの横フレーム７５の上面に架け渡される設置板１３ａと上部ユニット６１との間に形成される。そして、設置空間部ＳＦ，ＳＢに設置されたパチンコ遊技機２Ａの下面は、下部ユニット６０における横フレーム７５の上面により下方から支持され、設置空間部ＳＦ，ＳＢに設置される遊技機の上面は、上部ユニット６１の下面により支持される。
【０１２８】
図５及び図６には、躯体５における前面側の設置空間部ＳＦ及び後面側の設置空間部ＳＢに封入式パチンコ遊技機２を設置した状態が例示されている。また、左右の支持体６６Ｌ，６６Ｒの離間幅は、所定台数（本実施例では２台）の遊技機とそれに対応するカードユニット６、ユーティリティーユニット７等の合計幅寸法とほぼ同じとされているため、遊技機を設置する際に支持体６６Ｌ，６６Ｒが邪魔になることがないが、遊技機の幅寸法に応じて連結フレーム６７Ｆ，６７Ｂの長さを調整することができるようにしてもよい。
【０１２９】
パチンコ遊技機２Ａは、遊技を行うために遊技球を遊技領域（図示略）に発射するが、この遊技を行う際に遊技者により操作されるハンドルなどの操作部２ａが、遊技機本体の下部位置に配設されている。よって、パチンコ遊技機２Ａを設置空間部ＳＦ，ＳＢに設置する場合、横フレーム７５の上面に設置枠１２０を配置して横フレーム７５よりも上方位置に遊技機の支持面を形成する。具体的には、遊技島１の長手方向である左右方向に沿って各設置枠１２０の上面に設置板１３ａを架設し、この設置板１３ａ上にパチンコ遊技機２Ａの下面を釘（図示略）等により固定する。また、設置枠１２０の上面に合わせて、第２縦フレーム７６に対して上部フレーム体１７４を上昇させて所定の高さ位置にて保持することで設置空間部ＳＦ，ＳＢの上下幅寸法が確保され、パチンコ遊技機２Ａの上面を釘（図示略）等により上部ユニット６１の下面に固定することによって、パチンコ遊技機２Ａを設置空間部ＳＦ，ＳＢに設置固定することができる。このように本実施例の躯体５には、パチンコ遊技機２Ａ等の遊技機を設置するための複数の設置空間部ＳＦ，ＳＢが長手方向（左右方向）に向けて設けられる。
【０１３０】
尚、本実施例の遊技島１は、前述したように、通常のパチンコ遊技機２Ａの他、封入式パチンコ遊技機２やスロットマシン３を設置することが可能となっている。具体的には、通常のパチンコ遊技機２Ａを設置空間部ＳＦ，ＳＢに設置する場合は、図１５に示すように、横フレーム７５の上面に設置枠１２０を取り付け、遊技島１の長手方向である左右方向に沿って該設置枠１２０の上面に膳板１３を架け渡す。更に、膳板１３の上面に設置板１３ａを載置する。
【０１３１】
膳板１３の前後幅寸法は、設置板１３ａの前後幅寸法よりも長寸（例えば、約２倍）とされ、設置空間部ＳＦ，ＳＢに取り付けられた状態において、膳板１３は設置板１３ａよりも遊技者側に突出するように設けられる。このように設置空間部ＳＦ，ＳＢに取り付けられた設置板１３ａ上に通常のパチンコ遊技機２Ａを釘（図示略）等により固定する。また、膳板１３の上下幅寸法分上方に移動した設置板１３ａの上面に合わせて、第２縦フレーム７６に対して上部フレーム体１７４を上昇させて所定の高さ位置にて保持することで設置空間部ＳＦ，ＳＢの上下幅寸法が確保され、パチンコ遊技機２Ａの上面を釘（図示略）等により上部ユニット６１の下面に固定することによって、パチンコ遊技機２Ａを設置空間部ＳＦ，ＳＢに設置固定することができる。
【０１３２】
尚、封入式パチンコ遊技機２と異なり通常のパチンコ遊技機２Ａを設置空間部ＳＦ，ＳＢに設置する場合に膳板１３を設置枠１２０の上面に架け渡すのは、該膳板１３の上面にパチンコ遊技機２Ａから賞球等として排出される遊技球を貯留するための球箱２０を載置するためである。
【０１３３】
また、図１４に示すように、スロットマシン３は、遊技を行うためにメダルを投入したり、複数種類の図柄が可変表示される可変表示装置（リール）の回転を開始または停止する各種スイッチなどの操作部が、遊技機本体の上下方向の略中央位置に配設されている。よって、スロットマシン３を設置空間部ＳＦ，ＳＢに設置する場合は、横フレーム７５の上面に設置板１３ａのみを掛け渡し、該設置板１３ａにスロットマシン３の下面を釘（図示略）等により固定する。また、横フレーム７５の上面に合わせて、第２縦フレーム７６に対して上部フレーム体１７４を下降させて下限位置にて保持することで設置空間部ＳＢの上下幅寸法が確保され、スロットマシン３の上面を釘（図示略）等により上部ユニット６１の下面に固定することによって、スロットマシン３を設置空間部ＳＦ，ＳＢに設置固定することができる。
【０１３４】
尚、設置空間部ＳＦ，ＳＢにスロットマシン３を設置する場合は、設置空間部ＳＦ，ＳＢにユーティリティーユニット７とともにスロットマシン３の遊技において使用するメダルを貸し出すためのメダル貸出機を設置すれば良い。
【０１３５】
次に、腰板１２Ｆ，１２Ｂについて説明する。図６、図９及び図１０に示すように、本実施例の腰板１２Ｆ，１２Ｂは、左右の支持体６６Ｌ，６６Ｒの第１縦フレーム７４，７４と略同一の上下幅寸法で、左右の支持体６６Ｌ，６６Ｒの第１縦フレーム７４，７４間の離間幅寸法よりも若干長寸の左右幅寸法を有しており、設置板１３ａの下方に該設置板１３ａの長手方向に沿うように、各下部ユニット６０における設置空間部ＳＦ側及び設置空間部ＳＢ側において第１縦フレーム７４，７４よりも遊技者側に配置されている。
【０１３６】
腰板１２Ｆ，１２Ｂの内面左右端部には、突部１２ａ，１２ａが突出形成されている。これら突部１２ａ，１２ａは、腰板１２Ｆ，１２Ｂの上下幅に亘って延設されており、突部１２ａ，１２ａそれぞれの左右外側面が、左右の第１縦フレーム７４，７４の対向面（左右内側面）に当接するようになっている。また、突部１２ａ，１２ａには、左右方向に貫通する貫通孔１２ｂ，１２ｃが上下位置に形成されている。
【０１３７】
第１縦フレーム７４，７４には、左右方向に貫通する第１螺着孔７４ａ，７４ｂ、第２螺着孔７５ａ，７５ｂが上下方向の複数個所に形成されている。詳しくは、第１螺着孔７４ａは第１縦フレーム７４，７４の上部に形成され、第１螺着孔７４ｂは第１螺着孔７４ａから所定幅離間した下方位置に形成されている。また、第２螺着孔７５ａは第１縦フレーム７４，７４における第１螺着孔７４ａの下方であって第１螺着孔７４ｂよりも上方位置に形成され、第２螺着孔７５ｂは第１螺着孔７４ｂから所定幅離間した下方位置に形成されている。そして、これら第１螺着孔７４ａ，７４ｂの離間幅と、第２螺着孔７５ａ，７５ｂの離間幅とは、貫通孔１２ｂ，１２ｃの離間幅と同じとされている。つまり、貫通孔１２ｂ，１２ｃは、図１１（Ａ）に示す第１螺着孔７４ａ，７４ｂまたは図１１（Ｂ）に示す第２螺着孔７５ａ，７５ｂのいずれかに合致させることができるようになっている。
【０１３８】
腰板１２Ｆ，１２Ｂは、各突部１２ａ，１２ａの外側面を左右の第１縦フレーム７４，７４それぞれの対向面（内側面）に当接するとともに、内面を第１縦フレーム７４，７４の前後面に当接し、各突部１２ａ，１２ａの貫通孔１２ｂ，１２ｃを第１螺着孔７４ａ，７４ｂまたは第２螺着孔７５ａ，７５ｂのいずれかに合致させた状態で、突部１２ａ，１２ａの内側から第１螺着孔７４ａ，７４ｂまたは第２螺着孔７５ａ，７５ｂのいずれかにボルトＢ１を螺挿することで、第１縦フレーム７４，７４に取り付けることができるようになっている。
【０１３９】
詳しくは、腰板１２Ｆ，１２Ｂは、図１１（Ａ）に示すように、下端部を床面Ｙから所定幅離間させるように、貫通孔１２ｂ，１２ｃを第１螺着孔７４ａ，７４ｂに合致させた状態で、それぞれの貫通孔１２ｂ，１２ｃにボルトＢ１を螺挿することにより、第１縦フレーム７４，７４の第２位置に取り付けることができ、これにより腰板１２Ｆ，１２Ｂの下方、つまり、設置板１３ａの下方における左右の第１縦フレーム７４，７４間に遊技島１の前後方向に連通する遊技者側空間４００（図６参照）が形成される。つまり、設置板１３ａの下方における第１縦フレーム７４，７４間の下部に、遊技者の足を挿入可能な開口が形成される。
【０１４０】
また、腰板１２Ｆ，１２Ｂは、図１１（Ｂ）に示すように、下端部を床面Ｙに設置または近接するように、貫通孔１２ｂ，１２ｃを第２螺着孔７５ａ，７５ｂに合致させた状態で、それぞれの貫通孔１２ｂ，１２ｃにボルトＢ１を螺挿することにより、第１縦フレーム７４，７４の第１位置に取り付けることもでき、この場合は腰板１２Ｆ，１２Ｂの下方に遊技者側空間４００が形成されない。つまり、設置板１３ａの下方における第１縦フレーム７４，７４間の下部に遊技者の足を挿入可能な開口が形成されない。
【０１４１】
このように腰板１２Ｆ，１２Ｂは、設置板１３ａの下方における左右の第１縦フレーム７４，７４間に形成される空間に設置板１３ａに沿うように配置されることで、床面Ｙとその上方の設置板１３ａと左右の第１縦フレーム７４，７４とにより形成される四角枠状の開口を被覆する。
【０１４２】
設置空間部ＳＦ側に配置された腰板１２Ｆと設置空間部ＳＢ側に配置された腰板１２Ｂとの下端部には底板１１が取り付けられ、腰板１２Ｆ，１２Ｂと底板１１とにより側面視略上向きコ字形に形成されている。底板１１は、腰板１２Ｆ，１２Ｂと略同一の左右幅寸法を有しており、各突部１２ａ，１２ａの近傍には、第１縦フレーム７４，７４の右半分または左半分が挿通配置される溝部１１ａが形成されている。本実施例では、腰板１２Ｆ，１２Ｂと底板１１とが側面視略上向きコ字形に一体に構成されることで、これら腰板１２Ｆ，１２Ｂ及び底板１１は、第１縦フレーム７４，７４に沿って上下方向に一体となって移動可能となっている。
【０１４３】
このため、本実施例の腰板１２Ｆ，１２Ｂ及び底板１１は、図１１（Ａ）に示すように腰板１２Ｆ，１２Ｂの下端部が床面Ｙから離間した状態で第１縦フレーム７４，７４の第２位置に取り付けることで、腰板１２Ｆ，１２Ｂの下方における第１縦フレーム７４，７４間に遊技者側空間４００が形成される第３態様と、図１１（Ｂ）に示すように腰板１２Ｆ，１２Ｂの下端部及び底板１１の下面が床面Ｙに当接した状態で第１縦フレーム７４，７４の第１位置に取り付けることで、腰板１２Ｆ，１２Ｂの下方における第１縦フレーム７４，７４間に遊技者側空間４００が形成されない第４態様と、のいずれかに変更可能となっている。
【０１４４】
また、図６に示すように、前述した回収通路１０５は、上面が開口する箱状をなし、遊技島１の長手方向に向けて延設され、底板１１の上面に設置されている。回収通路１０５の前辺及び後辺には、上方に向けて壁部１０５ａ，１０５ａが形成されており、これら壁部１０５ａ，１０５ａには、前後方向を向く貫通孔１０５ｂ，１０５ｂが上下位置に形成されている。これら壁部１０５ａ，１０５ａの上部は、設置空間部ＳＦ側に設けられた第２縦フレーム７６と、設置空間部ＳＢ側に設けられた第２縦フレーム７６との間に配置されている。
【０１４５】
尚、設置空間部ＳＦ側に設けられた第２縦フレーム７６及び設置空間部ＳＢ側に設けられた第２縦フレーム７６には、第３螺着孔７６ａと該第３螺着孔７６ａの下方位置に第４螺着孔７６ｂとが形成されている。これら第３螺着孔７６ａと第４螺着孔７６ｂとの上下方向の離間幅は、貫通孔１０５ｂ，１０５ｃの上下方向の離間幅と同じとされている。つまり、貫通孔１０５ｂ，１０５ｃは、図１１（Ａ）に示す第３螺着孔７６ａと第４螺着孔７６ｂまたは図１１（Ｂ）に示す下方側の貫通孔１０５ｃのみを第４螺着孔７６ｂに合致させることができるようになっている。
【０１４６】
回収通路１０５は、各壁部１０５ａ，１０５ａの外面上部を前後の第２縦フレーム７６，７６それぞれの対向面（内側面）に当接した状態で、各壁部１０５ａ，１０５ａの貫通孔１０５ｂ，１０５ｃを第３螺着孔７６ａ及び第４螺着孔７６ｂ双方または貫通孔１０５ｂのみを第４螺着孔７６ｂに合致させた状態で、各壁部１０５ａ，１０５ａの貫通孔１０５ｂ，１０５ｃから第３螺着孔７６ａ及び第４螺着孔７６ｂ双方または第４螺着孔７６ｂのみにボルトＢ２を螺挿することで第２縦フレーム７６，７６に対して取り付けられる。
【０１４７】
特に、本実施例の回収通路１０５は、図１２（Ａ）に示すように、腰板１２Ｆ，１２Ｂの下方に遊技者側空間４００が形成される第３態様とする場合、腰板１２Ｆ，１２Ｂと一体に構成されている底板１１に載置されているため、貫通孔１０５ｂ，１０５ｃを第３螺着孔７６ａ及び第４螺着孔７６ｂ双方に合致させ、壁部１０５ａ，１０５ａの上端部が設置板１３ａの上面よりも上方位置となる状態で、ボルトＢ２を貫通孔１０５ｂ，１０５ｃから第３螺着孔７６ａ及び第４螺着孔７６ｂに螺挿することで第２縦フレーム７６，７６に対して取り付けられる一方、図１２（Ｂ）に示すように、腰板１２Ｆ，１２Ｂにより遊技者側空間４００が形成されない第４態様とする場合、腰板１２Ｆ，１２Ｂと一体に構成されている底板１１の下面が床面Ｙに当接しているため、貫通孔１０５ｂを第４螺着孔７６ｂのみに合致させ、壁部１０５ａ，１０５ａの上端部が設置板１３ａの上面よりも下方位置となる状態で、ボルトＢ２を貫通孔１０５ｂから第４螺着孔７６ｂに螺挿することで第２縦フレーム７６，７６に対して取り付けられる。
【０１４８】
つまり、本実施例の回収通路１０５は、腰板１２Ｆ，１２Ｂ及び底板１１の上下動に応じて上下方向に移動可能となっている。回収通路１０５は、上面が開口する箱状に形成され、通常のパチンコ遊技機２Ａから排出された遊技球を誘導する底面が、揚送研磨装置７００に自然流下により誘導できるように該揚送研磨装置７００に向けて下方に傾斜している（図５参照）。よって、回収通路１０５の底面は、揚送研磨装置の反対側が傾斜上位側となり、揚送研磨装置側が傾斜下位側となるため、揚送研磨装置の近傍位置では、反対側に比べて回収通路１０５の底面と床面Ｙとの間の空間が狭くなる。よって、遊技者側空間４００が形成される第３態様とする場合、回収通路１０５を腰板１２Ｆ，１２Ｂ及び底板１１とともに上方に移動できるようになっている。
【０１４９】
本実施例の遊技島１は、床面Ｙ上に設置される躯体５の前後左右側面に、腰板１２Ｆ，１２Ｂ、膳板１３や設置板１３ａ、遊技機、幕板５０Ａ及び遊技島１の長手方向の両端部の側板（図示略）が取り付けられることにより構成され、これら腰板１２Ｆ，１２Ｂ、膳板１３や設置板１３ａ、遊技機、幕板５０Ａ及び側板により覆われた空間を遊技島１の内部空間とし、該内部空間内には、遊技機の関連設備等が配設される。
【０１５０】
パチンコ遊技機２Ａに関連する関連設備の一例として、本実施例では、パチンコ遊技機２Ａから排出される遊技球を回収して図示しない揚送研磨装置７００に供給するための回収通路１０５が記載されていたが、パチンコ遊技機２Ａに関連する関連設備とは、遊技機の設置に付帯して設置される設備であればよく、例えば、設置される遊技機が遊技球を排出するとともに、排出し回収された遊技球を補給することにより遊技が可能となる遊技機である場合、遊技球を揚送する揚送研磨装置７００など、遊技島１内に設置される遊技球の循環経路等も含まれる。また、紙幣を受け付けることにより遊技を行う際に使用する遊技球を貸し出す貸出装置から回収した貨幣をメダル回収通路を介して回収する貨幣回収装置なども含まれる。
【０１５１】
また、本実施例では、腰板１２Ｆ，１２Ｂや回収通路１０５は、遊技島１の長手方向に向けて左右の支持体６６Ｌ，６６Ｒの離間幅に合わせて複数に分割して形成されているが、長手方向にわたり連続する一の部材として構成されていてもよい。
【０１５２】
このように構成される本実施例の遊技島１は、図５及び図１３に示すように、遊技島１の設置空間部ＳＦ，ＳＢに封入式パチンコ遊技機２を設置する場合は、腰板１２Ｆ，１２Ｂの下端部、底板１１の下面及び回収通路１０５を床面Ｙから離間させた状態で、腰板１２Ｆ，１２Ｂを第１縦フレーム７４，７４の第２位置に取り付けるとともに、回収通路１０５の壁部１０５ａ，１０５ａを第２縦フレーム７６、７６の第２位置に取り付けて、遊技島１を第３態様とすることで、腰板１２Ｆ，１２Ｂの下方における床面Ｙから所定高さ位置にかけて、遊技者が脚の一部である爪先を挿入することができる上下幅寸法Ｌ（例えば、約１０〜３０ｃｍ）を有する遊技者側空間４００が形成される。
【０１５３】
尚、本実施例のように遊技島１の設置空間部ＳＦ，ＳＢに封入式パチンコ遊技機２を設置する場合は、封入式パチンコ遊技機２に関連する関連設備である回収通路１０５を使用しないため、回収通路１０５を腰板１２Ｆ，１２Ｂとともに床面Ｙから離間させる方向（上方）に移動させて第２縦フレーム７６，７６に取り付けているが、本発明はこれに限定されるものではなく、遊技島１の設置空間部ＳＦ，ＳＢに設置されているパチンコ遊技機２Ａを設置する場合、回収通路１０５を遊技島１内から取り除いても良い。
【０１５４】
図１４に示すように、遊技島１の設置空間部ＳＦ，ＳＢにスロットマシン３を設置する場合は、腰板１２Ｆ，１２Ｂの下端部、底板１１の下面を床面Ｙに当接させて腰板１２Ｆ，１２Ｂを第１縦フレーム７４，７４の第１位置に取り付けるとともに、回収通路１０５の壁部１０５ａ，１０５ａを第２縦フレーム７６，７６の第１位置に取り付けて、遊技島１を第４態様とする。このとき、腰板１２Ｆ，１２Ｂの上端部と設置板１３ａの下面及び腰板１２Ｆ，１２Ｂの下端部と床面Ｙとが当接することにより、腰板１２Ｆ，１２Ｂにより遊技者側空間４００及び内部空間３００が遊技者側から完全に被覆される。
【０１５５】
図１５に示すように、遊技島１の設置空間部ＳＦ，ＳＢに通常のパチンコ遊技機２Ａを設置する場合は、腰板１２Ｆ，１２Ｂの下端部、底板１１の下面を床面Ｙに当接させて腰板１２Ｆ，１２Ｂを第１縦フレーム７４，７４における第１位置に取り付けるとともに、回収通路１０５の壁部１０５ａ，１０５ａを第２縦フレーム７６，７６における第１位置に取り付けて、遊技島１を第４態様とすることで、回収通路１０５にてパチンコ遊技機２Ａから排出される遊技球を回収搬送可能とする。
【０１５６】
尚、遊技島１の設置空間部ＳＦ，ＳＢに通常のパチンコ遊技機２Ａを設置する場合は、膳板１３，１３と腰板１２Ｆ，１２Ｂの間に、腰板１２Ｆ，１２Ｂと略同一の左右幅寸法を有するとともに、設置枠１２０と略同一の上下幅寸法を有するスペーサ５００，５００を取りつけることで、これらスペーサ５００，５００及び腰板１２Ｆ，１２Ｂにより遊技者側空間４００及び内部空間３００が遊技者側から完全に被覆される。
【０１５７】
尚、遊技島１の設置空間部ＳＦ，ＳＢにスロットマシン３を設置する場合は、回収通路１０５を使用しないため、回収通路１０５を腰板１２Ｆ，１２Ｂとともに床面Ｙから離間させる方向（上方）に移動させて第２縦フレーム７６，７６に取り付けているが、本発明はこれに限定されるものではなく、遊技島１の設置空間部ＳＦ，ＳＢにスロットマシン３を設置する場合は、回収通路１０５を遊技島１内から取り外すようにしても良い。
【０１５８】
以上説明したように、本発明の実施例としての遊技島１にあっては、所定の間隔を隔てて立設される複数の支持体６６Ｌ，６６Ｒと、該複数の支持体６６Ｌ，６６Ｒ間における該支持体６６Ｌ，６６Ｒの下端より上方の上方位置に架設される長板状の設置板１３ａと、設置板１３ａの下方に該設置板１３ａの長手方向に沿って配設される腰板１２Ｆ，１２Ｂと、を備え、該設置板１３ａの長手方向に沿って遊技機（例えば、封入式パチンコ遊技機２、通常のパチンコ遊技機２Ａ、スロットマシン３など）が設置され、設置板１３ａは、遊技機にて遊技を行う遊技者側から見て腰板１２Ｆ，１２Ｂの奥側に配設される回収通路１０５が不要な第３遊技機としての封入式パチンコ遊技機２やスロットマシン３と、回収通路１０５が必要な第４遊技機としての通常のパチンコ遊技機２Ａと、を含む複数種類の遊技機を設置可能であり、第３遊技機に対応可能な態様（設置板１３ａにパチンコ遊技機２Ａ（スロットマシン３）が設置されるときの態様）であって腰板１２Ｆ，１２Ｂにより設置板１３ａの下方における左右の第１縦フレーム７４，７４間の少なくとも下部に遊技者側空間４００が形成される第３態様（例えば、図１３参照）と、第４遊技機に対応可能な態様（設置板１３ａに通常のパチンコ遊技機２Ａが設置されるときの態様）であって設置板１３ａの下方における左右の第１縦フレーム７４，７４間に遊技者側空間４００が形成されない第４態様（例えば、図１４，図１５参照）と、のいずれかに変更可能である。
【０１５９】
また、設置板１３ａに設置される遊技機に応じて該設置板１３ａを第１上方位置（例えば、横フレーム７５，７５の上面、図１４参照）と該第１上方位置よりも上方の第２上方位置（例えば、設置枠１２０の上面、図１３、図１５参照）とに変更可能であり、腰板１２Ｆ，１２Ｂは、第１位置と該第１位置よりも上方の第２位置とのいずれかに取り付け可能であり、設置板１３ａを第２上方位置とするときに腰板１２Ｆ，１２Ｂを第２位置に取り付けることで第３態様（例えば、図１３参照）となり、設置板１３ａを第１上方位置とするときに腰板１２Ｆ，１２Ｂを第１位置に取り付けることで第４態様（例えば、図１４参照）となるため、腰板１２Ｆ，１２Ｂを上方に移動するだけで、設置板１３ａの下方に遊技者側空間４００を容易に形成することができる。
【０１６０】
つまり、前記実施例では、第１縦フレーム７４，７４には、腰板１２Ｆ，１２Ｂを第１位置に取り付けるための第１取付部としての第１螺着孔７４ａ，７４ｂと、第２位置に取り付けるための第２取付部としての第２螺着孔７５ａ，７５ｂとが予め形成されており、腰板１２Ｆ，１２Ｂを第１縦フレーム７４，７４の第１位置または第１位置よりも上方の第２位置のいずれかに選択的に取り付けることができることで、遊技島１を第３態様または第４態様のいずれかに変更することができる。
【０１６１】
よって、遊技島１を第３態様とすることで、遊技者の脚が設置板１３ａより奥側に入り込むことが防止され、遊技島１を第４態様とすることで、遊技者の脚が左右の第１縦フレーム７４，７４に形成された遊技者側空間４００を介して設置板１３ａより奥側に挿入可能となるため、遊技機に関連する関連設備である回収通路１０５が不要な遊技機が設置されたときと関連設備が必要な遊技機が設置されたときとで、設置板１３ａの下方の態様を設置された遊技機に適した態様に変更することができる。
【０１６２】
尚、本実施例では、第１取付部や第２取付部の一例としてネジ孔が記載されていたが、本発明はこれに限定されるものではなく、腰板１２Ｆ，１２Ｂを取り付け可能なものであればネジ孔以外でもよく、例えば、腰板１２Ｆ，１２Ｂを係止可能な係止部等であってもよい。
【０１６３】
また、本実施例では、遊技島１の下部に設けられる底板１１を備え、底板１１は、第３態様であるときと第４態様であるときとで態様を変更可能、つまり、図１３に示すように、床面Ｙから上方に離れて配置される位置と、図１４及び図１５に示すように、床面Ｙ上に設置される位置とに移動可能であることで、遊技島１の態様の変更に応じて底板１１を適宜変化させることができる。
【０１６４】
また、この底板１１は、腰板１２Ｆ，１２Ｂと一体に構成されていることで、遊技島１の下部に遊技者側空間４００が形成されたときにおいても、底板１１により遊技島１の下面が被覆されるため、設置板１３ａの下方に遊技者側空間４００を形成しつつ、遊技機の背面側に不正にアプローチすることを抑制することができる。また、設置されている遊技機から排出された遊技球や、遊技機に設けられた部品や設置するためのネジ等が零れ落ちることが防止されるとともに、遊技機の背面側から漏れる音等が外部に漏れることが防止されるため、雑音により遊技者に不快感を与えることが防止される。
【０１６５】
次に、本発明の変形例について、図１８に基づいて説明する。図１８は、変形例における吸殻回収装置６００が設けられた遊技島を示す断面図である。
【０１６６】
図１８に示す遊技島１は、吸殻を回収する吸殻回収装置６００を備え、吸殻回収装置６００は、遊技機に対応して設けられたユーティリティーユニット７の前面に設けられ吸殻を受け入れる吸殻受入部６０３と、吸殻受入部６０３から受け入れた吸殻を誘導する誘導通路６０２と、誘導通路６０２にて誘導された吸殻を遊技島１の長手方向の端部に設けた回収部（図示略）まで搬送する吸殻搬送手段としての搬送スクリュー６０１が内蔵された搬送管６０４を有し、搬送スクリュー６０１は、躯体５の連結ビーム７１に支持されている。
【０１６７】
このようにすることで、吸殻回収装置６００の搬送スクリュー６０１が内蔵された搬送管６０４が設置板１３ａではなく躯体５における支持体６６Ｌ，６６Ｒの連結ビーム７１に支持されることで、遊技島１が遊技機（パチンコ遊技機２，スロットマシン３）の種類に応じて、設置板１３ａが設けられた第１態様から、当該設置板１３ａが設けられない第２態様に変更された場合でも、吸殻回収装置６００の搬送スクリュー６０１を支持することができるため、遊技島１の設計の自由度が向上する。
【０１６８】
また、前記実施例では、支持体６６Ｌは、前支持体７０Ｆと、後支持体７０Ｂと、これら前支持体７０Ｆと後支持体７０Ｂとを連結する上下の連結ビーム７１，７２と、から構成され、前支持体７０Ｆ、後支持体７０Ｂは、下端から上方に向けてクランク状に形成されているが、本発明はこれに限定されるものではなく、支持体の形状は上記形態に限定されるものではなく、下端より上方の上方位置に設置板１３ａを架設可能な形状であれば柱状でもよく、種々に変更可能である。
【０１６９】
また、前記実施例では、腰板１２Ｆ，１２Ｂは支持体６６Ｌ，６６Ｒの第１縦フレーム７４，７４に直接取り付けられていたが、本発明はこれに限定されるものではなく、例えば、左右の第１縦フレーム７４，７４と設置板１３ａと床面Ｙとに沿って形成される四角枠状の木材等を躯体５に固定して設け、該木材に腰板１２Ｆ，１２Ｂを取付できるようにしてもよい。
【０１７０】
また、前記実施例では、遊技島１は、前後両面に長手方向にわたり遊技機を設置可能な複数の設置部が並設されていたが、本発明はこれに限定されるものではなく、前面側または後面側のいずれかにのみ設置部が設けられ、遊技場の壁等に沿うように設けられた片面式の遊技島であってもよい。
【０１７１】
また、前記実施例では、設置板１３ａの下方における第１縦フレーム７４，７４間に形成される遊技者側空間４００は、床面Ｙから設置板１３ａまでの上下幅のうち、床面Ｙから設置板１３ａよりも下方位置に形成されていたが、本発明はこれに限定されるものではなく、床面Ｙから設置板１３ａまで開口する遊技者側空間４００であってもよい。また、床面Ｙから上方に向けて形成される空間に限定されず、例えば、床面Ｙから所定距離離れた高さ位置に遊技者側空間４００が形成されるようにしてもよい。
【０１７２】
次に、本発明のさらなる変形例について、図１９に基づいて説明する。図１９は、変形例における遊技島１’を示す正面図である。この遊技島１’では、長手方向の略中央位置に配置される揚送研磨装置７００を挟んで、その左側にパチンコ遊技機２Ａが配置され、その右側にスロットマシン３が配置されている。
【０１７３】
このようにすることで、スロットマシン３よりも高い位置に設置されるパチンコ遊技機２Ａ側には、揚送研磨装置７００における揚送管７０２の水平部７０２ａや揚送研磨モータ７０４や合流部７０５や浄化液噴霧部７０８などを配置する配置スペースを形成することができるので、揚送研磨装置７００がスロットマシン３の設置の邪魔にならずに済むようになる。尚、この配置スペースには、前述した紛体分離器７１５の上部中央に設けられた吸引管７１６からゴミ等を吸引する吸引装置（図示略）を設けるようにしても良い。
【０１７４】
尚、遊技場において、一般的に、パチンコ遊技機２Ａは、店舗入口側に配置され、スロットマシン３は、店舗奥側に配置されるようになっている。
【０１７５】
以上、本発明の実施例を図面により説明してきたが、具体的な構成はこれら実施例に限られるものではなく、本発明の要旨を逸脱しない範囲における変更や追加があっても本発明に含まれる。
【０１７６】
例えば、前記実施例では、遊技機の一例として、通常のパチンコ遊技機２Ａ、封入式パチンコ遊技機２、スロットマシン３などを記載したが、本発明はこれに限定されるものではなく、例えば、スロットマシンとして、遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
【０１７７】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【符号の説明】
【０１７８】
１        遊技島
２        パチンコ遊技機
３        スロットマシン
２２０    揚送研磨制御用コントローラ
７００    揚送研磨装置
７０２    揚送管
７０３    搬送スクリュー
７０４    揚送研磨モータ
７０６    噴霧装置
７０８    浄化液噴霧部
【図１】
2015089459.tif 000003
【図２】
2015089459.tif 000004
【図３】
2015089459.tif 000005
【図４】
2015089459.tif 000006
【図５】
2015089459.tif 000007
【図６】
2015089459.tif 000008
【図７】
2015089459.tif 000009
【図８】
2015089459.tif 000010
【図９】
2015089459.tif 000011
【図１０】
2015089459.tif 000012
【図１１】
2015089459.tif 000013
【図１２】
2015089459.tif 000014
【図１３】
2015089459.tif 000015
【図１４】
2015089459.tif 000016
【図１５】
2015089459.tif 000017
【図１６】
2015089459.tif 000018
【図１７】
2015089459.tif 000019
【図１８】
2015089459.tif 000020
【図１９】
2015089459.tif 000021